(57)【要約】【課題】ディスクと外部装置間の電気信号の確実な送受信を可能としてディスク利用分野の拡張性を格段に改善しつつ、設計の自由度が格段に向上し、低コストで簡単な構成のディスクドライブ装置を提供する。【解決手段】ディスク１の一面側に薄膜の第１の導電部２が形成され、他面側に電子回路部４が設けられ、第１の導電部２と電子回路部４に接続された接続部３とは、その厚さ方向に形成された導電機能を有する縦接続部６を介して接続される。ターンテーブル１００には、ディスク１との当接面で第１の導電部２との対応部であって、ディスクの回転駆動時に、第１の導電部２と電気的に接触する第２の導電部１０５が設けられている。ディスク１をターンテーブル１００上に載置し、クランプ、回転駆動するときに、第１と第２の導電部２と１０５を介して電子回路部４とターンテーブル側のディスクドライブ装置側との間で信号の授受を行う。【選択図】図４
2007004974.tif 000002
【特許請求の範囲】
【請求項１】
一面側に第１の導電部が形成され、他面側に電子的機能部が設けられ、前記第１の導電部と前記電子的機能部とは、その厚さ方向に形成された導電機能を有する縦接続部を介して接続されたディスクが、前記一面側が対向するターンテーブルに載置され、
前記ターンテーブルの、前記ディスクとの当接面で前記第１の導電部との対応部に、前記ディスクの回転駆動時に、前記第１の導電部と電気的に接触する第２の導電部が設けられて成ることを特徴とするディスクドライブ装置。
【請求項２】
一面側に第１の導電部が形成され、他面側に電子的機能部が設けられ、前記第１の導電部と前記電子的機能部とは、その厚さ方向に形成された導電機能を有する縦接続部を介して接続されたディスクが、前記一面側が対向するターンテーブルに載置され、
前記ターンテーブルの、前記ディスクとの当接面で前記第１の導電部との対応部に、前記ディスクの回転駆動時に、前記第１の導電部と電気的に接触する第２の導電部が設けられ、
前記第１と第２の導電部間で信号の授受を行うことを特徴とするディスク信号処理システム。
【請求項３】
ディスクの両面側に設けられた導電部間が、前記ディスクを貫通する導電機能を有する縦接続部によって縦接続部で電気的に接続されて成ることを特徴とするディスク。
【請求項４】
ディスクの周方向に沿って離隔形勢された複数個の導電部と、前記複数個の導電部の少なくとも２つの導電部がそれぞれに接続された電子的機能部とを備えて成ることを特徴とするディスク。
【請求項５】
前記電子的機能部は、導電部、電子回路、メモリのいずれかであることを特徴とする請求項３または４に記載のディスク。
【発明の詳細な説明】
【技術分野】
【０００１】
本発明はディスクドライブ装置（ディスク信号処理システム及びディスクを含み得る）に関し、例えば、ディスク（回転記録媒体）とディスクドライブ装置間での信号の送受信を簡単な構成で確実に行なうディスクドライブ装置、ディスク駆動方法及びディスクに関する。
【背景技術】
【０００２】
光ディスクは、主にポリカーボネート等の樹脂のようなきわめて廉価な素材で構成されるにもかかわらず記録できるデータ量が非常に多く、コストパフォーマンス面できわめて有利であるため、将来の記録媒体として最も有望である。
【０００３】
光ディスクに記録されている情報を読み出し、又は情報を書き込む（読み出し／書き込み）ためにはディスクドライブ装置が使用される。ディスクドライブ装置は、光ディスクをターンテーブル上に載置し、クランパによりクランプし、スピンドルモータで回転させて、レーザ光を照射し、光ディスク表面からの反射光を受光し、復調することにより記録信号を読み出すように構成している。かかるディスクドライブ装置の代表的構成例が特許文献１乃至３に開示されている。
【０００４】
【特許文献１】特開平１１−３５３７４９（段落番号〔００２４〕図１）
【特許文献２】特開２０００−１０００３１（段落番号〔００１３〕〜〔００１５〕図３）
【特許文献３】特開２０００−１０００３２（段落番号〔００１２〕〜〔００１７〕図１）
【０００５】
ところで、光ディスク上に記録領域だけでなく、電子回路等の電気的回路をも搭載した形態の光ディスクが提案されている。しかしながら、光ディスクとディスクドライブ装置は、電気的には完全に絶縁された状態で動作することと、光ディスクが高速で回転すること等に起因して、光ディスク上に搭載された電子回路と、ディスクドライブ装置側の内部回路との間の信号送受信は簡単には行なえない。
【０００６】
かかる種類の光ディスクのディスクドライブ装置として提案されているのは、光ディスク側とディスクドライブ装置側での信号の送受信に無線信号を利用するものである。例えば、光ディスク面とディスクドライブ側にそれぞれアンテナを形成しておき、このアンテナを介して無線信号の送受信を行うものである（特許文献４）。現在の主流は、このような無線による信号授受である。
【０００７】
【特許文献４】特開平８−１６１７９０（段落番号〔００２０〕〜〔００２５〕図１）
【０００８】
また、光ディスク側とディスクドライブ側にそれぞれ発光／受光回路を形成しておき、この発光／受光回路を介しての光信号の送受信を行なう構成も考えられが現実の提案はない。
【０００９】
更には、当該電子回路と、ディスクドライブ装置側の内部回路との間の信号送受信を、ディスクドライブ装置による回転を停止させた状態で行う構成も提案されている（特許文献５参照）。
【特許文献５】米国特許第５，１１９，３５３号（Ｆｉｇ．２  第４、５欄）
【００１０】
また、特許文献６には、図１９（Ａ）と（Ｂ）に示すような構造のディスクドライブ装置が開示されている。
【特許文献６】特開平５−５４４６０号公報（図１、段落番号〔００１３〕〜〔００２８〕）
【００１１】
このディスクドライブ装置は、ディスク６１０内に固体メモリ６１２を埋設しておき、固体メモリ６１２の入出力端子ＤＩ、ＤＯ、ＣＳ、ＳＣＫ、ＶＤＯからはリード線６１３ａ〜６１３ｆが引き出され（固体メモリ６１２内に埋設）、各リード線に対応させて同心円状のリング状端子６１４ａ〜６１４ｆがディスク表面に形成されている。一方、クランパ６１５の上面側に、固体メモリ６１２の入出力端子にリード線を介して接続されるべき外部接触端子６１７ａ〜６１７ｆが設けられ、これら外部接触端子は信号伝達媒体（具体的構成不明）を介してデータ入力部６２０に電気的に接続されている。
【００１２】
クランパのディスク対向側には凹部７００が設けられ、この凹部７００に先端が先鋭な接触端子６１６ａ〜６１６ｆがディスク表面に存在するリング状端子６１４ａ〜６１４ｆに対向して半径方向に沿って並設されている。接触端子６１６ａ〜６１６ｆは、コイルバネ６１８によって下方に付勢されている。また、各接触端子６１６ａ〜６１６ｆと同形状のダミーピン６１６ｇ〜６１６ｌが各接触端子６１６ａ〜６１６ｆの同一線上に設けられている。これらダミーピン６１６ｇ〜６１６ｌも同様に、各リング状端子６１４ａ〜６１４ｆの間隔に合わせて設けられている。
【００１３】
光ディスク６１０がクランパ６１５の凹部７００を除いた光ディスク６１０との当接面によってクランプされると、クランパ６１５の突起６１５Ａが光ディスク６１０の中心孔６１０Ａに嵌り込むことによってクランパ６１５に対する光ディスク６１０の位置決めが行われる。このとき、クランパ６１５の各接触端子６１６ａ〜６１６ｆは各リング状端子６１４ａ〜６１４ｆの間隔に位置合わせされて設けられているため、クランプ時においては各接触端子６１６ａ〜６１６ｆと各リング状端子６１４ａ〜６１４ｆとの対応がとられる。
【００１４】
そして、各接触端子６１６ａ〜６１６ｆは、コイルバネ６１８によって下方に付勢されているため、各リング状端子６１４ａ〜６１４ｆに対する電気的接触が行われる。
【発明の開示】
【発明が解決しようとする課題】
【００１５】
上述のように、従来は、ディスク表面に搭載されている電子回路とディスクドライブ装置の内部回路間の信号の送受信は、主にディスク面とディスクドライブ側にそれぞれを形成したアンテナを介しての無線信号の送受信を行なう。しかしながら、かかるアンテナの形成には無線信号の周波数用に適合するような形状パラメータでの形成が必要であり、ディスク面上へのかかるアンテナの形成は高精度なエッチング手法を要するだけでなく、無線周波数への／無線周波数からの周波数変換回路を形成する必要もあり、低コストが大きな有益性をもつ光ディスクにとって大きな問題となる。
【００１６】
特に、光ディスクの場合、表面に薄いアルミ等の金属膜が形成されているため、その表面に密着されて（ミクロンオーダー）形成されているアンテナの電波授受に障害要因となる。このことは他のディスクについても同様であり、ディスクドライブ装置を含め、ディスク近傍に電波障害の原因となる多くの金属部材が存在するので問題となる。また、数千ｐｐｍで高速回転しているディスク上に搭載されているアンテナは、物理的にも電気的にも不安定になるおそれがあるだけでなく、送信電力の大きさによっては外部に電波が漏れて電波盗聴の恐れも生ずるし、逆に外部からの電波妨害の問題も生じてくる。更に、アンテナ配置方向も送受信感度に大きな影響を与え、安定な送受信感度を得ることができない。また、アンテナを含む無線部をディスクに搭載するには、規格及びバランスを考えると、可能な限り薄型化、小型化しなければならず、性能との関係で問題が生ずる。これらの問題は、アンテナが搭載されているディスクがきわめて高速に回転「しているので更に顕著になってくる。
【００１７】
また、ディスク側とディスクドライブ装置側に形成した発光／受光回路を介しての光信号の送受信を行なう構成においては、回転体であるディスクと静止体であるディスクドライブ装置間では、位置関係がきわめて高速で変化するため、その構成の実現はきわめて困難である。
【００１８】
更には、ディスクドライブ装置による回転を停止させた状態で、電子回路とディスクドライブ装置側の内部回路との間の信号送受信を行なう場合には、ディスク回転中にディスクとディスクドライブ装置側との信号送受信を行なうことはできず、リアルタイムでの信号処理は不可能である。
【００１９】
また、特許文献６に開示されているディスクドライブ装置は、非常に複雑な構成でコスト高となるだけでなく、安定かつ確実な動作を実現することが殆ど不可能である。以下、その問題点をより具体的に説明する。
【００２０】
各接触端子６１６ａ〜６１６ｆは、その先端が先鋭で、クランパの凹部７００内のコイルバネ６１８によって下方に付勢されるように構成されてリング状端子に電気的に接触されている。しかしながら、これらの接触端子６１６ａ〜６１６ｆは、電気的接触を行うためのみの目的でコイルバネ６１８により付勢されており、ディスクを回転させる際のずれや滑りのないようにしっかりとディスクを把持、保持するというクランプ機能とは基本的に異なり、クランプ機能を有していない。クランプ機能を果たすのはクランパ６１５のディスク６１０と面接触している上記凹部７００を除いた部分である。先端が先鋭な接触端子６１６ａ〜６１６ｆは、クランパの凹部７００内のコイルバネ６１８によって下方に付勢されているからディスク６１５を下方向（垂直方向）に押圧してリング状端子と電気的に接触されるものの、基本的に点接触であるから、水平方向（回転方向）に対してのずれや滑りを抑止できずクランプ機能を果たさない。また、コイルバネ特性やその特性劣化等により電気的な接続は不安定とならざるを得ない。
【００２１】
また、固体メモリは小さいから、そこからの入出力端子の間隔も狭く、したがって、ディスク表面に径方向に形成するリング状端子の形成間隔も狭く、その結果、例えばＣＤプレーヤのような携帯型装置や、車載ＣＤプレーヤ装置等の場合には、外力によりクランパとディスクの相対位置がずれてしまうこともあり、その場合には、接触端子と本来接触すべきリング状端子との接触が外れ、ときに、隣のリング状端子と接触する恐れさえ生ずる。このことはディスクが数千回転／秒で高速回転することを考えれば、さらに深刻な問題となる。更に大きな問題は、このように狭間隔で、それぞれコイルバネを有し長手方向の複数の接触端子をクランパ凹部に高精度で設置することはきわめて困難であり、また、これらの接触端子をディスク上の狭間隔で設置されたリング状端子に正確に位置合わせすることも極めて困難であり、現実的には実用化が不可能であることである。
【００２２】
更に、接触端子コイルバネ６１８によって下方に付勢されて初めてリング状端子との電気的接触が可能となるが、長時間使用によりコイルバネが劣化した場合には、スペース上、また複雑な構成であることから使用不可能となってしまうこともあるし、接触圧が変化し電気的接続特性も劣化してしまう。
【００２３】
また、固体メモリはディスクに埋め込まれているため、製造工程が複雑化し、リード線も固体メモリとともにディスクに埋め込まなければならず、更には表面に露出させたリード線に接続してリング状端子を径方向に高精度で形成しなければならずコストが著しく高くなるだけでなく、一旦埋設してしまった固体メモリの交換は不可能である。
【００２４】
更にまた、固体メモリから取り出すリード線は真上方向に配置するのが製造上効率的であるため、固体メモリの真上にリング状端子が配設されるのが通常で、固体メモリと、電気的接続の対象となるリング状端子を、離隔して配設することは困難であり、構造の複雑化とコスト増の大きな要因となる。
【００２５】
更に、固体メモリは高々１ミリ程度の厚みのディスク内に埋め込まれており、外部からの衝撃に弱い半導体にとっては大きな問題が生ずる。固体メモリが埋設されているディスク表面はクランパの凹部内のスプリングバネで付勢されている接触端子の先端部が常時点接触圧力を受けて突き当たっており、特にディスクを最初にクランプするときには大きな圧力となって埋設されている固体メモリに衝撃を与える。当該ディスクドライブ装置によるディスク再生、記録の都度、このような衝撃が固体メモリに加わるのであるから固体メモリに与える影響は見過ごすことができない問題であり、長寿命化の面での問題もある。
【００２６】
また、この構造では、固体メモリとの電気的接続は、クランパ側に限定され、その反対面側での電気的接触は不可能で、設計の自由度が低い。
【００２７】
そこで、本発明の目的は、上述課題を悉く解決し、低コスト、簡単な構成でディスク側とディスクドライブ装置側間で信号の確実な送受信を可能とするディスクドライブ装置、ディスク駆動方法及びディスクを提供することにある。
【００２８】
本発明の他の目的は、ディスクと外部装置間の電気信号の確実な送受信を可能としてディスク利用分野の拡張性を格段に改善する低コストで簡単な構成のディスクドライブ装置、ディスク駆動方法及びディスクを提供することにある。
【００２９】
本発明の更に他の目的は、低コスト、簡単な構成でディスク側とディスクドライブ装置側間で複数信号の確実な送受信も可能とするディスクドライブ装置、ディスク駆動方法及びディスクを提供することにある。
【００３０】
本発明の他の目的は、各面での設計の自由度が高いディスクドライブ装置、ディスク駆動方法及びディスクを提供することにある。
【００３１】
なお、本発明は、ディスク側とディスクドライブ装置側間の信号の授受態様のすべてを意味し、“送信”、“受信”、“送信及び受信”等のすべての電気的情報、信号、電力等のやりとりの態様を含む。
【課題を解決するための手段】
【００３２】
上述課題を解決するため、本発明によるディスクドライブ装置は次のような特徴的な構成を採用している。
【００３３】
（１）一面側に第１の導電部が形成され、他面側に電子的機能部が設けられ、前記第１の導電部と前記電子的機能部とは、その厚さ方向に形成された導電機能を有する縦接続部を介して接続されたディスクが、前記一面側が対向するターンテーブルに載置され、
前記ターンテーブルの、前記ディスクとの当接面で前記第１の導電部との対応部に、前記ディスクの回転駆動時に、前記第１の導電部と電気的に接触する第２の導電部が設けられて成るディスクドライブ装置。
（２）一面側に第１の導電部が形成され、他面側に電子的機能部が設けられ、前記第１の導電部と前記電子的機能部とは、その厚さ方向に形成された導電機能を有する縦接続部を介して接続されたディスクが、前記一面側が対向するターンテーブルに載置され、
前記ターンテーブルの、前記ディスクとの当接面で前記第１の導電部との対応部に、前記ディスクの回転駆動時に、前記第１の導電部と電気的に接触する第２の導電部が設けられ、
前記第１と第２の導電部間で信号の授受を行うディスク信号処理システム。
（３）ディスクの両面側に設けられた導電部間が、前記ディスクを貫通する導電機能を有する縦接続部によって縦接続部で電気的に接続されて成るディスク。
（４）ディスクの周方向に沿って離隔形勢された複数個の導電部と、前記複数個の導電部の少なくとも２つの導電部がそれぞれに接続された電子的機能部とを備えて成るディスク。
（５）前記電子的機能部は、導電部、電子回路、メモリのいずれかである上記（３）または（４）のディスク。
【発明の効果】
【００３４】
本発明によれば、ディスクとディスクドライブ装置間での確実な信号送受信を可能とすることにより、ディスクと外部装置間の電気信号の確実な送受信を可能とし、つまり、ディスクに記録されている情報の読み出しやディスクへの書き込みは勿論、当該ディスク上に搭載されている１または複数の電子回路（信号処理回路やメモリ等の回路動作に必要な構成、バッテリ等を含み、総称して電子的機能部と称する）と外部装置間の信号送受信を簡単な構成で可能とすることができる。また、ディスクに搭載したバッテリへの電源の供給等の他態様の機能を簡単かつ確実に達成することができる。したがって、それぞれのディスク上に形成された１または複数の電子回路の機能に基づく固有の動作を規定することができるようになり、ディスクを用いた利用分野の拡張性が格段に改善される。更に、通常のディスク表面に薄膜ＩＣ等の電子回路と、この電子回路と電気的に接続された薄膜等の導電部を形成するだけで、著しい応用範囲が拡張される新たな構成のディスクが最小限のコスト上昇で得られる。また、かかるディスクをアクセスするためのディスクドライブも簡単な構成の追加だけで済み、コスト上昇を最小限に抑えたディスクドライブ装置が得られる。このような効果は、きわめて廉価でありながら大きな記録容量が得られる光ディスクを用いる場合に特に顕著となる。そして、本発明によれば、ディスクとディスクドライブ装置間の信号授受を速度やデータ量に殆ど制約がなく高速かつ安定に行うことができるようになる。
【００３５】
特に、本発明では、ディスク回転中であってもディスク搭載電子回路に接続されている導電部と、ディスクドライブの当該ディスクを回転させるため保持、把持部（少なくとも一部に形成された電気的接触部）とが直接接触して電気的に接続されるため、ディスク側とディスクドライブ側の導電部間は強力な圧接力（通常は面圧力）で把持、クランプされているので安定かつ確実な電気的接続が得られる。ディスク表面に形成された金属膜や、その周辺の金属部材による電波障害は全く問題とならないし、外部への電波等による電波漏れに起因する盗聴の恐れも全くなく、外部からの電波妨害の問題も生じることなく、また信号授受（通信）速度の制約もない。
【００３６】
更に本発明では、ディスクとディスクドライブ装置側の導電部間を確実に接続する各種態様の電気的経路が簡単に得られ、これら種々の接続態様を同時にまたは適宜いくつかを組み合わせて用いることにより多種多様な応用分野が得られる。
【００３７】
また、本発明では、電子回路と電気的に接続される導電部は、いずれもディスク表面上に薄膜形成で構成でき、この導電部薄膜に直接的に面接触する導電部がターンテーブルやクランパ上等に形成されるだけであるから極めて簡単な構成である。しかも、ターンテーブルやクランパ上等に形成される導電部は、回転させるのに必要なクランプ、把持、保持圧力を直接受け、ディスク側の導電膜と面接触するような構成であるため、導電部がない場合と同じクランプ圧力が得られるだけでなく、面接触による電気的接触は確実で、しかもディスクとクランパまたはターンテーブルとの相対的位置関係が少々ずれても両者の電気的接触に影響は殆ど与えない。
【００３８】
すなわち、電気的接続は、ディスクを回転駆動させるクランプ（把持、保持）領域の導電部と、ディスクドライブ装置側の導電部間の電気的接触により行われるので、確実な接続が可能となる。上述を含め、この効果は特許文献６の構造との大きな相違点である。つまり、引用文献６では、コイルスプリングにより下方に付勢される先端先鋭なリング状端子がディスク表面の電極と電気的に接触するような構成であり、このリング状端子はディスクの回転のために当該ディスクを把持、保持、クランプする機能をもたない。クランプ機能を果たすのはクランパ６１５のディスクとの直接当接部である。したがって、特許文献６におけるリング状端子によるディスク表面の電極との電気的接続関係は、本発明と比較してはるかに劣るだけでなく、前述した数多くの問題点を内包する。
【００３９】
更に、本発明では、導電部の他部との接続は精度は全く要求されず、単に接続されていれば良く、電子回路と導電部の配置は任意で用途に応じて適宜位置に設けることができる。
【００４０】
また、本発明では、電子回路等はディスクドライブ装置側のクランパやターンテーブルと接触しない、つまりクランプ圧力を全く受けない位置に配設されているから、特許文献６のような、クランパ凹部内のスプリングバネで付勢されている接触端子の先端部からの常時の点接触圧力やクランプ圧力を受けることはなく、衝撃に弱い半導体回路、チップ等に衝撃を与えることはなくなり、長寿命化が図れる。
【００４１】
更に、本発明では、ディスク上への電子回路の搭載面を任意に選択可能で、設計の自由度が格段に向上する。
【００４２】
また、ディスク上に複数の導電部を有する電気的経路を容易に形成でき、電子回路への複数の信号ラインの形成や複数の電子回路への信号ラインの形成が可能となり、搭載回路の拡張が可能となる。
【００４３】
なお、かかる効果は、ディスクとディスクドライブ装置に限らず、同様に回転部材を接触保持して回転させる回転機構と、回転部材との間でも得られる。本発明の他の効果は、以下の実施例の説明において明らかとなる。
【実施例】
【００４４】
以下、本発明の実施例の具体的構成例について図面を参照しながら説明する。
本発明は、ディスクを含む回転記憶媒体及びその媒体を回転駆動して信号授受を行うドライブ装置を対象とするものであるが、以下では、ディスクとして光ディスクを用いた例を説明する。また、本発明は、ディスクドライブ装置の保持、把持手段によりしっかりと把持、保持、クランプされ、回転駆動されるディスクであれば任意のディスクやカード等（例えばＣＤ、ＤＶＤ、ＭＯ、ＦＤ、ＨＤ等）を用いることができるが、以下では光ディスクを用いた場合について説明する。更に広い概念で、ディスクとディスクドライブ装置に限らず、接触把持、保持して回転体を回転させる回転駆動部における回転体と回転駆動部についても本発明は同様に適用可能である。尚、以下の図面は、理解と説明を容易にするため簡略化された要部のみを示しており、そのサイズや位置関係等は正確に示しているものではない。
【００４５】
本発明によるディスクドライブ装置が適用されるディスクは、電子回路等が搭載されているディスクであり、その一例を示すディスク構成が図１（Ａ）と図１（Ｂ）に示されている。以下の実施例は単独での利用を前提にして説明しているが、他の実施例と組み合わせて利用することができることは勿論であり、複数の実施例を組み合わせることにより、より便利な機能、効果が得られる。
【００４６】
図１（Ａ）において、ディスク１の一面側（本例では、ディスクが載置されるターンテーブルとの対向面側）にはイメージ、音楽、画像等のデータが記録される記録領域（例えば、ＲＡＭ領域や、所定のプログラムが格納されているプログラム記録部としてのＲＯＭ領域等）が形成されている。記録領域の径方向内側には、情報が記録されていない非記録領域が存在する。また、電子的機能部、例えば、ＲＯＭ領域や他のメモリに格納されているプログラムに基づき、または独自に設計されている信号処理を実行する電子回路４等がディスク１の他面側の任意の部位に形成されている。この電子回路４は、後述するように種々の構成を含み、ＣＰＵ、メモリ等の電子処理に必要な任意の構成要素やバッテリ等の任意の構成要素を含むこともあるし、これらの構成要素の一部を含むこともできることは勿論であり、薄膜化構成が望ましい。電子回路等とは、必ずしも電子的機能部だけでなく、光機能部等任意の機能部を意味し、入出力が電気的なものであれば何でも良い。
【００４７】
本例では、ディスクドライブ装置のクランプ（チャッキング、保持、把持を含む広い概念）機構により接触保持される部位に相当する位置であるディスクの内周部（通常、透明部であるが不透明部とされることもある）の、ディスクが把持、保持、クランプされる部位（本例では、ターンテーブルとの当接領域である、ディスク１の一面側のクランプ領域）の少なくとも一部に、例えば、薄膜の導電部２が形成されている。この導電部２は図示の如くリング状に形成することもできるし、一部のみに形成することもできる。
【００４８】
一方、ディスク１の他面側（ターンテーブル反対面）には、図１（Ｂ）に示すように、導電材から成る接続部３が設けられ、クランプ領域よりも内側に、接続部３と接続された電子回路４が設けられている。ディスク１の一面側の導電部２と他面側の接続部３との間は、図１（Ｃ）に示すように、対応部位でディスクの厚み（縦）方向に貫通する縦接続部６により電気的に接続され、結局、導電部２と電子回路４とが縦接続部６、接続部３を介して電気的に接続されることになる。
【００４９】
ここで、ディスク１のディスクドライブ装置によるクランプ(保持、把持)機構により接触保持される部位とは、要するにディスクドライブ装置によりディスクを回転させる際に、ずれや滑りなくしっかりと接触把持、保持される部位すべてを含むものであり、好ましくは面接触により接触保持させる部位を指す。
【００５０】
電子回路４は、任意の部位に設けることができるが、ディスクは、通常、ディスクドライブ装置の把持、保持、クランプ（チャッキング）機構により高い密着力で保持されるので、その圧力による影響を避ける意味で上記クランプされる部位ではない更に内側に、例えば、クランプ部材（後述のターンテーブル、クランパ、ノートパソコンのようにクランパがなくディスクを上から押圧するクランプ部材等の任意のクランプ機構）が直接接触せず、クランプ圧力を受けない部位に設けられるのが好ましい。この場合には、クランプ機構によりディスクがターンテーブルに押圧固定されており、電子回路４はクランプ部よりも更に内側に位置するため、電子回路搭載によるディスク回転時の回転アンバランスの問題は生じない。
【００５１】
また、図２に示すように、電子回路４は、クランプ部位よりも外方向位置（非記録領域が好ましい）に設けることもできる。しかし、クランプ圧力の問題がないような構成の場合には、電子回路はクランプ領域に形成しても良い。また、導電部２そのものを電子回路４と同一部位に、例えば、電子回路４が導電部２を含むように設定しても良いことは勿論である。要するに、接続部３は機能的に存在すれば良く、物理的な存在を必須としないようにすることができる。
【００５２】
電子回路４は、例えば、ディスク面のＲＯＭ領域に記録されているプログラムに基づく動作処理を実行する回路であり、処理結果は以下に説明するような形態でディスクドライブ装置側に送信される。また、逆にディスクドライブ装置側からの信号を受信する。電子回路４は、上述の如く、他の記録媒体に記録されているプログラムに基づく動作を行うようにしても良いし、動作が予め規定された動作を実行するように構成しても良く、メモリを含むことも当然に前提として想定しており、要するにその構成は任意であり、メモリ機能等を含め、電子的機能部とも称する。また、電子回路は、その入出力が電気信号であれば良く、処理は光処理等、任意である。
【００５３】
電子回路４の上記所定の処理としては、例えば、記録部に記録されている情報が暗号化されている場合に、その暗号化されている情報を読み出して予め定められているプログラムに基づいて解読するような処理がある。また、暗号化して書き込むときには、同様に、予め定められている暗号化プログラムに基づいて暗号化するようにすることもできる。
【００５４】
ここで、暗号化プログラムや解読プログラムをディスク毎に規定しておけば、ディスク毎に外部からの情報を一切必要としないクローズされた信号処理が可能となり、クローズされた固有の処理に基づく処理でない限りは当該ディスクへのアクセスを困難として高いセキュリティを確保することができる。また、暗号解読のためのキーを個別に外部から設定するようにすれば、より高いセキュリティが確保できる。更に、外部処理回路で処理された処理結果を記録部に記録するようにすることもできる。こうすることにより、処理結果が、外部処理装置に残ることなく、ディスクの記録部としてのＲＡＭ領域のみに保存、記録され、しかも保存、記録処理するデータを電子回路で暗号化等の処理を施しておけば、第三者は、暗号化データを解読するためのキー情報を含む解読プログラムがない限り解読データを得ることができず、きわめてセキュリティの高いシステムが実現できる。また、ディスクに形成されている電子回路等と外部回路との信号送受信により、これまで想定されていなかった利用分野の著しい拡張が図られる。すなわち、電子回路は、ＣＰＵとして独自のプロセッサー機能、メモリとしての機能、独自処理態様の実行機能等を有するから、ディスクと機能的、有機的に関連した、従来想定されなかった利用分野への拡張が可能となる。
【００５５】
さて、図１（Ａ）に戻ると、ディスク１の一面側内周部には、例えば、薄膜のリング状（他の任意の形状が可能）の導電部２が形成されている。この導電部２は、ディスク他面側の電子回路４に接続部３と縦接続部６を介して電気的に接続されている。導電部２は、独立に情報を有する部位とすることができる。例えば、この導電部２にディスクの何らかの情報（ディスク固有情報等）を持たせておけば、ディスクドライブ装置から直接当該情報を取得することができる。電子的機能部としての電子回路４は、信号処理、何らかの電子的情報の生成、書き込み又は保存機能を有する機能部とすることができるし、導電部自体が何らかの情報が生成するような機能部や電子回路を含んでいても良い。
【００５６】
ディスク１は、ディスクドライブ装置のターンテーブル上に載置され、クランプ機構により把持、保持、クランプされ、回転駆動手段により回転駆動される。ここで、載置とは広い意味で使われており、ターンテーブルが垂直（縦に）配設されている場合にもディスクが押し付けられて保持されるような状態も含むことは勿論である。通常、ディスクの情報が記録されている記録領域は、ディスク１の内周部の非記録領域以外に形成されており、内周部は透明部、半透明又は不透明部で、基本的にクランプのための部位としてのみ用いられている。本実施例では、この内周部の所定部のクランプ領域における少なくとも一部に導電部２が形成されている。
【００５７】
以上では、電子的機能部としての電子回路４はディスク表面に固定的に搭載される場合を想定しているが、電子回路４はディスク内部に埋設させることもできる。電子回路４等を適宜取替え可能にディスクに搭載するような構成も有益である。この場合は、ディスクの電子回路の搭載場所に電子回路（チップ）を搭載係止する係止部を設けておき、この係止部に電子回路（チップ）を取り付け、係止させれば良い。係止部には接続部３を固定的に配設、接続しておくことができる。この実施例は、電子回路等が搭載されるディスクすべてに適用可能であることは勿論である。
【００５８】
かかる構成によれば、搭載されている電子回路が故障したときには新たな電子回路に取り替えられる。また、ユーザやディスクに特有な電子回路、電子的機能部を簡単に搭載でき、例えば、ディスク、ユーザ毎に異なる暗号情報、ＩＤ情報等の情報をもたせることが可能となる。したがって、使用時のみ電子回路を搭載し、使用終了時に電子回路を取り外しておけば、第３者によるアクセスが不可能となり、セキュリティが格段に改善される。また、1個の電子回路（チップ）で多数のディスクの共用が可能であり、安価なディスクの利用面で効果的である。
【００５９】
図３（Ａ）と図３（Ｂ）は上述実施例における縦接続部６の構成例を説明するための簡略化された要部断面図である。縦接続部６は、本実施例に限定されず、すべてのディスク構造に適用可能であることは以下の説明からも明らかである。
【００６０】
図３（Ａ）に示す実施例では、ディスク１の厚み方向（縦方向）に貫通する導電機能を有する縦接続部６を設け、この縦接続部６を介して導電部２と接続部３とを接続し、もって導電部２と電子回路４とを電気的に接続する。本実施例によれば、ディスク両面にそれぞれ設けられている構成部を電気的に接続できるので設計の自由度が格段に向上する。例えば、ターンテーブルと対向するディスク面側には、データ記憶領域が形成されているため、この面に沿ってディスクドライブ装置の読み出し／書き込み用のピックアップが至近距離間隔で移動することになる。したがって、衝突の恐れがあるため、ピックアップの存在、移動領域に電子回路を設けることはできず、結局、ターンテーブルと対向するディスク面側に電子回路を設けることは困難、または不可能となる状況となる場合がある。
【００６１】
そこで、図３（Ａ）に示すような縦接続部６を利用した構成を採用すれば、ターンテーブルと対向するディスク面側には、ピックアップ移動の障害とはならない導電部２（好ましくは、薄膜）のみを設け、障害のない他面側に電子回路４を設けることが可能となり、設計の自由度が格段に向上する。この縦接続部６は、開口穴５の内周壁表面部に設けることができる。また、内周壁表面部に凹部や溝部を設け、この凹部や溝部に縦接続部を形成することができる。こうすることによって、縦接続部６形成のためのディスクを貫通する貫通穴が不要となる。また、凹部や溝部に縦接続部６を形成すれば構造が簡素化されるだけでなく、縦接続部の磨耗もなくなり耐久性が増大する。
【００６２】
例えば、図３（Ｂ）に示す実施例では、ディスク１の開口穴５内周壁部内表面の少なくとも一部厚み方向（縦方向）に導電材から成る縦接続部６を設け、この縦接続部６を介して導電部２と接続部３とを接続し、もって導電部２と電子回路４とを電気的に接続する。この実施例によれば、図３（Ａ）に示すように、ディスクを貫通する穴を形成する必要がない。
【００６３】
図３（Ｃ）には、図３（Ｂ）に示すような縦接続部６を用いた場合の、異なる面上に設けられた電子回路４と導電部２とを、縦接続部６及び接続部３を介して接続する構造が簡略化された斜視図が示されている。導電部２の代わりに他の電子回路（接続部）とすることも勿論できるし、この場合には、両面の利用が可能となりディスク表面により多くの電子回路を搭載できる。
【００６４】
図３（Ａ）や（Ｂ）に示す構造は、上述実施例に限定されず、ディスクの両面間のように縦方向に導電部が形成される構造を含み、ディスク面間に限らず、ディスク一面から厚み方向に導電部を形成する場合をも含む。例えば、電子回路４がディスク１の内部に埋め込まれている場合には、縦接続部はディスクを貫通する必要がない。ディスク１を貫通する縦接続部は、ディスク両面に存在する電気的構成部間（電子回路間や導電部間）を接続するために有効である。
【００６５】
図４は本発明の実施例によるディスクドライブ装置の構成を説明するための簡略化された要部断面図である。
【００６６】
図４を参照すると、ターンテーブル１００は回転駆動部１０３で回転駆動される。例えば、ターンテーブル１００の下面に磁極が設けられ、その下方の対向位置に磁極を有する回転駆動部１０３が設けられ、回転駆動部１０３の磁極を変化させて、ターンテーブル１００を回転軸部１０２を中心として回転駆動させる。このような回転駆動手段としては、例えば、ステータとロータを含む回転機構のような薄型のフラットモータ構成を用いることができる。
【００６７】
ターンテーブル１００は、突出部１０１を有し、この突出部１０１にディスク１の開口穴５が挿入され、ディスク１の中心位置合わせが行われる。ターンテーブル１００には、ディスク１が載置され、その表面がすべり難い弾性材で構成されている載置部１０４が設けられている。この載置部１０４はなくとも良く、ターンテーブル１００上に直接ディスクを載置しても良いことは勿論である。本実施例では、クランパ２００の内周側に凹部２０１を形成し、この凹部２０１内に対応する位置で、ディスク１の内周部に電子回路４が設けられている。電子回路４は、接続部３、縦接続部６を介して、他面側の導電部２に電気的に接続されている。
【００６８】
ターンテーブル１００のディスク１の導電部２との対向位置には導電部１０５（載置部１０４上）が形成されている。この導電部１０５は薄膜形成としても良いし、ターンテーブル１００（載置部１０４）に導電部を埋め込んだ態様とすることもでき、任意の構成が採用できる。
【００６９】
突出部１０１の頂部には、通常、永久磁石１１０が設けられている。ターンテーブル１００の表面の、ディスク１の導電部２と対向する位置に導電部１０５が形成されているが、図３では、理解を容易にするため簡略化しており、例えば、導電部２や１０５等の厚み、サイズはディスク１を含め他の構成要素と比較して大きく描かれており、これら導電部２や１０５は、薄膜の場合を示し、実際には殆ど厚みは意識しなくて良いことが多い。また、導電部２や１０５は、少なくとも一方を周方向全域にリング状に形成しておくことが望ましいが、後述する例のように、位置関係が確保できれば一部のみの形成でも良い。両方ともリング状とすれば、より確実な電気的接触が得られる。
【００７０】
一方、ディスク１の上方にはクランパ２００が配設される。クランパ２００は、ターンテーブル１００の突出部１０１の頂部に設けられた永久磁石１１０との対向部に、永久磁石１１０による磁力を受けて吸引される磁性部（図示せず、クランパ自体でも良い）を有する。ディスク１をターンテーブル１００上に載置した後、クランパ２００を近づけると永久磁石１１０と当該磁性材（クランパ）との磁力によりクランパ２００がディスク１を挟んでターンテーブル１００に密着される。こうしてディスク１は、同心度が維持された状態で把持、保持、クランピング（チャッキング）され、面圧接され、回転軸部１０２の回転とともに回転駆動されることになる。ここで、本実施例では、クランパ２００がターンテーブル１００と一体的に回転する例を示しているが、クランパ２００とは異なり、ディスクとは一体回転しないハウジング内に空隙を設け、この空隙内で永久磁石１１０と磁力密着され一体的に自由回転するような磁性部材を設けるようにすることもできる。クランピングとは要するに回転体としてのディスクを回転させるためにディスクを接触保持するためのすべての手段を意味し、クランプ部位とは当該接触保持（把持）される部位を示す。本実施例では、接触把持手段は、ターンテーブル１００とクランパ２００で構成される。
【００７１】
このとき、ディスク１の導電部２とディスクドライブ装置側のターンテーブル１００側の導電部１０５とは上述磁力等のクランプ力により強く面密着されており、確実な電気的接続が確立維持される。したがって、ディスク１側の導電部２と、このディスク１とは独立したディスクドライブ装置側のターンテーブル１００側の導電部１０５とが確実に電気的に接続されることになる。勿論、ディスクドライブ装置側のディスク１の導電部２との接続は、ターンテーブル１００に限らずディスク１を把持、保持して一体的に回転し、電気的に接触する部位であればどこでも良い。
【００７２】
ディスクドライブ装置側の導電部１０５は、外部回路、例えば、ディスクドライブ装置の内部の回路（例えば、プリント基板４００で外部のパソコン等と信号が授受される）に接続される。この導電部１０５と内部回路との間の接続は、ターンテーブル１００をディスク１とともに回転させる回転軸部１０２の先端部に設けられた接続インタフェース部３０１と、この接続インタフェース部３０１と離隔位置に設けられ、内部回路のプリント基板４００に接続された接続インタフェース部３０２とを介して行われる。導電部１０５から接続インタフェース部３０１への接続は、回転軸部１０２の内部または外周に沿って設けた電気接続線（例えば、ワイヤ）１０６によって行うことができる。
【００７３】
接続インタフェース部３０１と３０２間の接続は、接続インタフェース部３０２を離隔させずスリップリング（ブラシ）のような電気的接続で行うことができる。この接続は、ノイズの影響が少ないディスク１側の電子回路に電源を供給させる場合に有効である。また、両接続インタフェース部３０１と３０２にそれぞれ設けられたフォトトランジスタのような光電変換手段や、アンテナを有する無線手段等を用いることができる。以下に説明する実施例では、フォトトランジスタを接続インタフェース部３０１と３０２にそれぞれ設けておき、導電部１０５からの電気信号を接続インタフェース部３０１側のフォトトランジスタで光信号に変換して接続インタフェース部３０２側のフォトトランジスタに送光する。
【００７４】
なお、接続インタフェース部３０１とはあくまでもインタフェース機能を有することを意味し、当該部に光電変換手段やドライブ回路等のような構成要素をもたなくとも良く、これらは、接続線１０６の経路中、またその両側のいずれかの位置に設けておいても良い。例えば、回転軸端部やプリント基板側の接続インタフェース３０１や３０２として光ファイバを設けて、光ファイバ間で光信号の授受を行うこともできる。このことは、無線を利用した場合も同様であり、端部にはアンテナのみを設ければ良く、他の構成部はそれ以外の部位に設けることができる。なお、接続インタフェース部３０１と３０２は、以上の部位以外に設けても良いことは勿論である。
【００７５】
さて、接続インタフェース部３０２のフォトトランジスタで受光した光信号は電気信号に変換され、変換された電気信号がプリント基板４００の回路部に送出される。逆に、プリント基板４００からの電気信号をターンテーブル１００の導電部１０５とディスク１の導電部２（また縦接続部６、接続部３）を介してディスク１の電子回路２に送出する場合も同様な経路で信号送出が行われる。
【００７６】
このように、回転軸部１０２の回転軸中心（回転軸に沿って）に近接して設けられた光学手段や無線手段による接続は、互いが接近しているから、光や電波の強度が弱くとも接続（通信）が可能となり、また、外部に漏れる恐れも殆どなく、外部からの妨害や雑音の影響もきわめて少なくできるのでセキュリティ面でも有効である。すなわち、回転軸部１０２の軸心に沿った光学手段や無線手段の設置は、回転軸部の回転に起因する信号光のブレが少なくて済むし、また、無線手段により信号送受信を行なう場合も効率的な送受信が可能となる。これらは、以下で説明するすべての実施例を含み、ディスクドライブ装置の回転部材と静止部材間の信号授受に利用され、同様な効果が得られる。
【００７７】
図５は本発明の他の実施例によるディスクドライブ装置の構成を説明するための簡略化された要部断面図である。基本構造は図４と同様であるので詳細な説明は省略する。
【００７８】
本実施例は、電子回路４をディスクの一面側（ターンテーブル対向面側）に設け、一方、電子回路４が存在する領域は、ターンテーブル１００の内周側に形成した凹部１０７に位置するように（回転時に障害物がないような位置）構成されている。本発明によれば、導電部２、接続部３及び電子回路４はすべてディスクの一面側のみに設けることができ、縦接続部６が不要で構成が簡略化される。
【００７９】
図６は、図４に示す実施例の変形例を示し、ディスク１上の電子回路４をクランパ２００の外側に接続部３を介して設けた例である。この場合もディスクの回転駆動時に電子回路４には何らの障害物の存在がない。
【００８０】
図７は、図６に示す実施例とは異なる他の態様例を示すディスクドライブ装置の構成を説明するための簡略化された要部断面図である。
【００８１】
本実施例では、ターンテーブル１００側の導電部１０５からディスクドライブ装置側の回路との信号授受を回転軸部１０２側ではなく、突出部１０１側（上方部）に設けた接続インタフェース部３０１と、例えば、ディスクドライブの筐体上面５００側に設けた接続インタフェース部３０２により行う。上述実施例と同様に、接続インタフェース部３０１は、突出部１０１の回転軸の略中心部（中心軸に沿って）に設けられ、接続インタフェース部３０２は接続インタフェース部３０１と対向設置される。
【００８２】
本例でも、突出部１０１の頂部に設けた接続インタフェース部３０１と、導電部１０５とが電気的配線１０６を介して電気的に接続されている。一方、クランパ２００の接続インタフェース部３０１の対向部は、上述のように、電気的、光学的又は無線的に開口されている。例えば、開口部２１０を介して両接続インタフェース部３０１と３０２間がスリップリングで接続されるような構成とすることができる。また、光を通過させるように穴を設けたり、透明材で形成したり、また電波が透過するような材料による構成を用いることができる。接続インタフェース部３０１との対向側には接続インタフェース部３０２が設けられ、両接続インタフェース部３０１と３０２間で各種信号（電源信号を含む）の授受が行われる。勿論、上述のようなクランパ２００を有さず、ディスク１を突出部１０１の周壁部に設けたクランプ部材でターンテーブル側に押圧する構成を採用すれば、クランパ２００が不要となるため簡素化された構成が得られる。
【００８３】
図８（Ａ）には、ノートパソコンで用いられており、クランパ２００を有さず、ディスク１を突出部１０１の周壁部に設けたクランプ部材でターンテーブル側に押圧することによりクランプ機能を有する構成の簡略化された要部断面図が示されている。
【００８４】
本構成では、ディスクのクランプ（回転に必要な把持、保持）手段として、ディスクの開口穴５の内周部を上方から押圧（係止）してターンテーブル１００との間でクランプするクランプ部材１２０Ａ〜１２０Ｃ（クランプ部材１２０Ｃは図示せず）を用いている。
【００８５】
クランプ部材１２０Ａ〜１２０Ｃは、ターンテーブル１００の突出部１０１の外周方向に複数個（例えば、等間隔に３個）設けられ、突出部１０１内に設けられたバネ部材（図示せず）により外径方向にバイアスがかかっており、このバネ部材によるスプリング力に抗して光ディスクを上から押し込んで接触固定する。すなわち、ディスク１の中央開口穴５を上方向から突出部１０１にクランプ部材１２０Ａ〜１２０Ｃのスプリング力に抗して押し込んでディスク１をターンテーブル１００の載置部１０４に載置させると、クランプ部材１２０が一旦、内側に引っ込んだ後、ディスク１の上面に入り込んで、ディスク１をクランプ部材１２０とターンテーブル１００間で固定する。このような構成を有するディスクドライブ装置は、上述実施例と比較してクランパ２００が不要であるため構成が簡素化され、且つ薄型化されるため、低コストで且つ小型化に適し、ノートパソコンのような小型な電子機器に適用されることが多いが、構成の簡素化を図るため他のタイプのパソコンや電子機器にも用いられている。
【００８６】
ディスク１の一面には、導電部２が形成され、一方ターンテーブル１００には、回転駆動時に導電部２と電気的に接触する導電部１０５が形成され、縦接続部６を介して、ディスク１の他面側に設けられた電子回路４と接続されている接続部３とが電気的に接続される。他の構成は前述したとおりであるので説明は省略する。
【００８７】
図８（Ｂ）は本発明の他の実施例を示し、ディスクドライブ側のターンテーブルの導電部１０５の機能をクランプピン１２０Ａ〜１２０Ｃにもたせている。クランプピンの少なくとも一部は導電部で構成され（本実施例では、クランプピン全体が導電体で構成されている）、ディスクのクランプ、回転駆動時に、この導電部がディスクの導電部２に電気的に接続し、前述のように、接続線１０６を介してインタフェース３０１に接続されている。本実施例では、ディスクの一面側中央開口穴周辺に電子回路４を配設する。一方、この状態でディスク１をターンテーブル１００に載置すると、電子回路４がターンテーブル１００に当接してしまい、ディスクをターンテーブルに載置のたびに電子回路（ＩＣチップ）が衝撃を受けて故障の原因となってしまう。そこで、本実施例では、ターンテーブル１００の電子回路４との対応位置部に凹部１５０を設けている。こうすることにより、電子回路４はターンテーブル１００の凹部１５０内に位置し、その表面から突出しないように収容されることになり、他部との接触が防止される。
【００８８】
ターンテーブル１００に凹部１５０を設ける代わりに、図８（Ｃ）にその一部を示すように、ディスク１に凹部１５を設け、この凹部１５内に電子回路４を設けるようにすれば、ターンテーブル１００側に凹部１５０を設ける必要がなくなる。
【００８９】
以上の実施例では、ディスク１の導電部２との電気的接続をクランプピンを用いて行っているが他の構成でも同様な機能を得ることができる。例えば、突出部１０１の外周壁面に、クランプピンとは別設の同様機能を有する接続部材を利用することができる。
【００９０】
また、図８（Ｄ）に示すように、突出部１０１に通常時は収納されており、ディスククランプ時に露出して導電部２と接触するような導電部１６２を有する接続部材１６０を用いることもできる。接続部材１６０は、導電線１６３や接続線１０６を介して接続インタフェース３０１に接続されている。導電線１６３や接続線１０６等は、線であることが必要条件ではなく、要するに、電気的接続機能をもてば良い。図８（Ｄ）では、通常時には、突出部１０１に収納されており、クランプ時には図示点線で示すように、回転軸１６１を中心として略９０度回転させて導電部２との電気的接続を得ている。この接続部材としては、例えば、幅のある縦長の平面導電部を有する部材を用い、ディスク１が戴置されない通常状態では突出部１０１内に略収納されているが、ディスク１をターンテーブル１００に戴置した後は、自動的にまたは手動で、当該接続部材１６０を９０度回転させ、ディスク１側に倒して、ディスク面に対して押圧力を加えて密着させ、ディスクの導電部２と接続部部材１６０の導電部１６２間の電気的接続関係を確立するように構成することができる。ディスクが戴置され回転駆動されるとき、ディスク面の導電部とできるだけ接触面積が大きく、強い面圧力で押圧されて密着していることが好ましい。接続部材１６０には、弾性機能を持たせておき、この押圧力を与えるようにすることが好ましい。そのための機構は任意である。
【００９１】
本実施例は、要するに、突出部１０１に上記接続部材１６０を設けておき、ディスクのクランプ、回転駆動時にディスク上に設けられた電子回路４に接続されている導電部（導電膜）と接続部材１６０の導電部１６２とを電気的に接触するものである。接続部材１６０は、前述のように、クランプピンそのものとしても良いし、クランプピンとは独立させても良いし、両者を組み合わせた構成とすることもできる。
【００９２】
図８（Ｅ）には、ディスクの他面側に電子回路４と導電部  が形成されているディスクの導電部２（接続線部３と一体化も可）と接続部材１６０の導電部１６２とが電気的に接続される実施例が示されている。本実施例によれば、縦接続部６が不要となり、構成が簡素化される。
【００９３】
以上の実施例では、ディスクには一つの導電部２が形成されている例を説明しているが、導電部はディスクの周方向離隔位置に複数個形成し、一方、回転駆動時に当該ディスクの複数個の導電部のそれぞれと電気的に接続されるディスクドライブ装置側（例えば、ターンテーブル側、クランパ側等で他の部位で同様な機能を有する部位を含む）に対応する複数個の導電部を形成しておくことにより、各導電部を介して複数の電気的経路が形成することができる。かかる発明は、本明細書で説明するディスクに限らず、複数個の導電部を有するすべてのディスクに適用可能である。
【００９４】
上述のように、ターンテーブルの対応する位置に導電部を形成する場合だけでなく、クランパを備える場合にはターンテーブル側と同様に、または同時にクランパの対応する位置に導電部を形成してディスク側とディスクドライブ側の電気的接続を確立することができる。
【００９５】
このように、ディスク側とターンテーブル側のそれぞれに複数個の導電部が形成されている場合には、それぞれの導電部間の位置合わせが必要となることがある。すなわち、ディスクドライブ装置や外部装置（パソコン）等の特定回路部との信号授受関係が特定されている場合には、当該導電部が接続されている電子回路と対応する特定回路との電気的接続関係は固定される必要がある。そのための手段は種々考えられ、例えば、ディスク１とターンテーブル１００側にそれぞれ目印を付けたり、物理的特定形状部を設け、これら物理的特定形状部の相対的関係により位置決めすることができる。また、両者に電気的、磁気的な関係を定めておき、それらの関係で位置決めすることもできる。例えば、磁石をそれぞれに設けておき、両磁石の磁力によって一律な位置決めをすることができる。
【００９６】
図９には、本発明による位置決め機構として、ディスク１の（好ましくは内周部の）所定部位に径方向のスリット（穴）７を形成し、一方、ターンテーブル１００の突出部１０１の外周壁には当該スリット６が入り込む凸部１３０を設け、ディスク１のスリット６に凸部１３０を入り込ませ（嵌合させ）、両者の対応位置関係を一義的に位置付けることができる。ここでの位置決めは、対応する導電部間が確実に接触するような位置決めであり、導電部の幅は比較的広いので、スリット７や凸部１３０の配設位置は高精度である必要はない。
【００９７】
図１０には、位置決め機構の他の実施例が示されている。本実施例では、ディスク１の（好ましくは内周部の）所定部位に穴８を設け、一方、ターンテーブル１００には当該穴８に入り込む凸部１４０を設け、ディスク１の穴８に凸部１４０を入り込ませ（嵌合させ）、両者の対応位置関係を一義的に位置付けする。ここでの位置決めも、対応する導電部間が確実に接触するような位置決めであり、導電部の幅が比較的広いので、穴８や凸部１４０の配設位置は高精度である必要はない。
【００９８】
また、ディスクとターンテーブル側の一義的位置決めを行うことなく、導電部からの出力を受けて切り替え出力する切り替え手段を設け、対応する信号を選択的に対応する接続先に送出するように構成することもできる。この場合には、信号に何らかの識別信号を含ませ、受信した信号の識別信号を判別し、判別結果に基づいて対応する接続先への送出を行うことができる。この切り替え手段は、外部回路側に設けることができることは勿論である。
【００９９】
かかる位置決めや切り替え手法は、これらの実施例や後述実施例に限定されないことは勿論であり、ディスクとディスクドライブ装置側の対応する複数の導電部間の対応付けを行う場合等にすべて適用できることは明らかである。
【０１００】
図１１（Ａ）と図１１（Ｂ）は、本発明の他の実施例を説明するためのディスク１の構成とディスクドライブ装置のターンテーブル１００側の構成を示す簡略化された斜視図である。
【０１０１】
図１１（Ａ）に示すように、ディスク１の一面側に例えば複数個（本例では２個）の電子回路（本例では、４Ａと４Ｂ）が搭載されている。ディスク１の他面側に４個の導電部２Ａ〜２Ｄが離隔形成されている（点線部）。これら導電部２Ａ〜２Ｄは、図３（Ａ）に示すような縦接続部６Ａ〜６Ｄと接続部３Ａ〜３Ｄを介して電子回路４Ａ、４Ｂに電気的に接続されている。本例では、電子回路４Ａには接続部３Ａと３Ｄが、電子回路４Ｂには接続部３Ｂと３Ｃがそれぞれ接続されている。
【０１０２】
このとき、ディスク１に設けられているスリット（穴）７に、図１１（Ｂ）に示すようなターンテーブルの突出部１０１の周辺に設けられている凸部１３０が入り込んで、ディスクとターンテーブル間の位置決めがされる。この位置決めによって、ディスク１の導電部２Ａ〜２Ｄと、ターンテーブル１００上の対応する位置に形成されている導電部１０５Ａ〜１０５Ｄとが対応付けられて正確に接触して電気的に接続されることになる。ターンテーブルの導電部１０５Ａ〜１０５Ｄは、接続部１０６Ａ〜１０６Ｄを介して接続インアフェース部３０１に接続される。接続インタフェース３０１は、上述の如く、電気的、無線的、光学的にディスクドライブ装置側と信号の授受がなされる。接続部１０６Ａ〜１０６Ｄを介して授受される各信号は多重化されて一つの接続インタフェース３０１に送出されていても良いし、各接続部毎に接続インタフェース（光学手段や無線手段）を設けても良い。ここで、導電部２Ａ〜２Ｄがディスクの反対側（上面側）に設けられている場合には、ターンテーブル１００上の対応する位置に形成されている導電部１０５Ａ〜１０５Ｄの代わりにクランパ側に同様な導電部を形成することができることは勿論である。
【０１０３】
図１２と図１３は、本発明の更に他の実施例を示す簡略化された要部断面図である。
【０１０４】
本実施例は、図１１（Ａ）と図１１（Ｂ）に示すような複数の離隔導電部に基づくディスク構造に用いて有益であり、図４と図７に示すような実施例の構造を組み合わせて実現できる。
【０１０５】
本実施例では、電子回路４Ａと４Ｂがディスク１の一面上のクランパ２００の外側に搭載され、それぞれが接続部３Ａ、縦接続部６Ａと接続部３Ｂ、縦接続部６Ｂを介して、ディスク他面側の導電部２Ａと２Ｂに電気的に接続されている。これら導電部２Ａと２Ｂは、クランプ時に、ターンテーブル１００の対応する位置に形成されている導電部１０５Ａと１０５Ｂと電気的に接触し、ディスク側とターンテーブル側間の電気的経路が確立される。
【０１０６】
導電部１０５Ａと１０５Ｂは、接続部１０６Ａと１０６Ｂを介して接続インタフェース部３０１Ａと３０１Ｂに接続される。接続インタフェース部３０１Ａと３０１Ｂは、回転軸部１０２の端部側と突出部１０１の端部側にそれぞれ別個に設けられているが、上述の如く、いずれか一つを共用接続インタフェース部として用いて複数の導電部１０５Ａ、１０５Ｂを接続しても良いことは勿論である。接続インタフェース部３０１Ａと３０１Ｂは、接続インタフェース部３０２Ａと３０２Ｂとの間で信号の授受が行われる。
【０１０７】
図１３に示す実施例は、接続インタフェース部３０１Ａとして電源供給のためのスリップリング構成を用いた例である。電源はノイズの影響を受けないため、また比較的大きな電力であって問題なく対応できるスリップリング構造を採用できる。本実施例では、ターンテーブルの回転軸部１０２と一体回転し、接続部１０６Ａと電気的に接続されているリング部１０７と、このリング部１０７と接触する固定部としてのブラシ部１０８が設けられている。ブラシ部１０８から供給される電源は、接続部１０６Ａ、導電部１０５Ａ、ディスク１の導電部２Ａ、縦接続部６Ａ、接続部３Ａを介して電子回路４Ａに供給される。本実施例によれば、ディスクに電源部が不要なので、ディスクのコストが大幅に削減される。接続部６Ａは、他の電子回路に同様に接続することができる。
【０１０８】
図１２と図１３に示す構成では、上述のように、ノートパソコンの突出部周壁に設けられたクランプ部材を用いる場合には、クランパ２００は不要で、構成が簡素化される。また、かかる構成によれば、接続インタフェース部３０１側と３０２側の信号系統を一方を送信系とし、他方を受信系に固定的に利用することができる。
【０１０９】
図１３の実施例では電源は、ディスクの導電部２Ａを介して電子回路４Ａに供給されているが、一つの導電部から複数の電子回路に電源を供給することもできる。そのための実施例の構造が図１４に示されている。
【０１１０】
図１４において、ディスク１の一面側に周方向に２つの電子回路４Ａと４Ｂ、接続部３Ａと３Ｂ及び接続部３Ｃが設けられている。上述実施例と同様に、ディスク１の他面側には、電子回路４Ａと４Ｂとの信号授受のための導電部２Ａと２Ｂが形成され、縦接続部６Ａと６Ｂを介して電子回路４Ａと４Ｂ（接続部３Ａと３Ｂ）は導電部２Ａと２Ｂにそれぞれ接続されている。
【０１１１】
また、ディスク１の他面側には導電部２Ｃが形成され、縦接続部６Ｃを介してディスク１の一面側の接続部３Ｃに接続されている。接続部３Ｃは、電子回路４Ａと４Ｂに接続されている。ターンテーブル１００の、導電部２Ｃとの対応位置には導電部１０５Ｃが形成され、この導電部１０５Ｃには、例えば、図１２のような構成で電源が供給される。かかる構成により複数の電子回路に対して一つの導電部から同時にリアルタイムで電源の供給が可能となる。本実施例によれば、ディスクに電源部が不要なので、ディスクのコストが大幅に削減される。
【０１１２】
図１５には他の実施例のディスク構成が示されている。本実施例では、ディスクに少なくとも１つのバッテリ（好ましくは充電可能な）４Ｅが設けられ、このバッテリ４Ｅに対して、ターンテーブル１００側の導電部１０５から供給される電源が導電部２Ｅ、縦接続部６Ｅを介して供給される。本実施例によれば、ディスク搭載バッテリ４Ｅから電子回路４Ａ、４Ｂに直接電源が供給される。ディスク１に電源が搭載されている場合には、逆の経路でディスク側からディスクドライブ装置側に電源を供給することもできる。
【０１１３】
図１６（Ａ）と（Ｂ）には本発明の他の実施例が示されている。図において、ディスク１の一面側のクランパ２００の外側に電子回路４Ａを設け、内側でクランパ２００が接触しない位置にバッテリ４Ｅが設けられている。本実施例では、クランパ２００に設けた凹部２０１の対応位置にバッテリ４Ｅが設けられ、バッテリ４Ｅから電源が接続部３Ｅを介して電子回路４Ａに供給される。電子回路４Ａには、上述と同様に、導電部２Ａ、縦接続部６Ａ、接続部３Ａを介して信号の授受が行われる。バッテリ４Ｅとしては、光による充電を行うソーラーバッテリや、電波信号をアンテナを介して受け、整流後、コンデンサに準電するようなバッテリ等を用いることができる。
【０１１４】
一方、クランパ２００の凹部２０１には、バッテリ４Ｅに対向して光を発光する発光部１０９や無線信号を送出するアンテナ部１０９が設けられている。バッテリ４Ｅとしては、発光部やアンテナ１０９からの光で充電されるソーラーバッテリや無線信号を受信して整流しコンデンサに充電するものが用いられる。こうして、バッテリ４Ｅが充電される。
【０１１５】
バッテリ４Ｅは、上述実施例に限定されず、上記発光部やアンテナ部等がディスク１と一体的に回転し、相対位置関係を一定に維持されるような構造であれば、どこに設けても良い。例えば、前述のノートパソコンのように、クランパ２００がなく、ターンテーブル側の突出部に設けたディスク上面を押圧するクランプ部材を有する構造の場合には、例えば、ターンテーブルの内周部に凹部１１０を形成し、この凹部１１０に上記発光部１０９や無線信号を送出するアンテナ部１０９を設け、一方、ディスク１の他面側の対向位置にはバッテリ４Ｅを形成し、バッテリ４Ｅはディスクの縦接続部６Ｅと接続部３Ｅを介して、電子回路４Ａに電源を供給するように構成することができる。
【０１１６】
上記ディスク側のバッテリ部、ディスクドライブ装置（ターンテーブル）側の発光部やアンテナ部は周方向にリング状または円弧状（断片状）とすれば、ディスク側のアンテナの配設場所を厳密にする必要がない。上述位置決め機構を用いれば、ソーラーバッテリや無線部（アンテナ）は、周方向に設ける必要はなく、一部に設けるだけで、対応するディスクのソーラーバッテリや無線部（アンテナ）とは対向配設される。
【０１１７】
上述のような構成で、ディスク搭載電子的機能部とディスクドライブ装置間の電気的経路が確立され、ディスク側と、ディスクドライブ装置が接続された電子装置（パソコン、ゲーム機等）との間の信号授受が行われる。
【０１１８】
以上のように、ディスクの周方向に離隔された複数個の導電部を設け、ターンテーブル、クランパ等のディスクと一体回転し、相対的には静止状態関係にあるディスクドライブ装置側にこれら導電部と電気的に接触する導電部を設けて、ディスクドライブ装置を介しての信号処理装置が得られる。
【０１１９】
ところで、このようにディスクの周方向に複数個の離隔導電部を形成する構成は、複数の電気的経路を得るためには大変有効であるが、導電部は所定の長さが必要であるため形成する導電部の数には制約がある。ディスクに搭載する電子回路の数が増えると、必要な電気的経路の数もより多くなり、対応できなくなる。
【０１２０】
そこで、本発明の更なる実施例は、ディスクに形成する導電部の数を増加させる構成で、例えば図１７にその例を示す。
【０１２１】
本実施例では、異なる径方向距離にある複数個の周方向のそれぞれの周方向に沿って複数個の離隔導電部を形成する。図１７において、径方向距離Ｒ１とＲ２のそれぞれの距離における周方向にそれぞれ複数個の所定幅の導電部を形成する。本例では、ディスク一面側の内周部に電子回路４Ａ〜４Ｄを設けている。径方向距離Ｒ１における周方向に沿って（勿論、若干の幅は許容可能）、複数個の導電部２Ａ（Ｒ１）〜２Ｄ（Ｒ１）が形成され、導電部２Ａ（Ｒ１）、２Ｂ（Ｒ１）及び２Ｃ（Ｒ１）のそれぞれは電子回路４Ａ、４Ｂ及び４Ｄに接続部３１、３４及び３５を介し、また、導電部２Ｄ（Ｒ１）は接続部３８を介してリング状の導電部３０に接続されている。一方、径方向距離Ｒ２における周方向に沿って（若干の幅は許容可能）、複数個の導電部２Ａ（Ｒ２）、２Ｂ（Ｒ２）、２Ｄ（Ｒ２）が形成され、それぞれは電子回路４Ａ〜４Ｄに接続部３２、３３、３５、３７を介して接続されている。ディスクの更に内周部には、例えば、リング状の導電部３０が形成され、この導電部３０には接続部３８を介して導電部２Ｄ（Ｒ２）が接続され、例えば、導電部２Ｄ（Ｒ１）に供給される電源がリング状の接続部３０を介して各電子回路４Ａ〜４Ｄに供給される。
【０１２２】
この実施例では、説明を簡単にするため、一面側にすべての構成要素を形成、搭載していることとしているが、上述実施例のように、一面側に電子回路４Ａ〜４Ｄや接続部３０、３１〜３８を形成し、ディスクの他面側に形成した導電部２Ａ（Ｒ１）〜２Ｄ（Ｒ１）や２Ａ（Ｒ２）〜２Ｄ（Ｒ２）間を上述したような縦接続部（図示せず）を介して接続するように構成することもできる。
【０１２３】
本発明は、上述した実施例に限定されず、ディスクの周方向に沿って離隔した導電部を形成する場合すべてに適用可能である。
【０１２４】
尚、上述のように、クランパ２００は、回転駆動時にディスク１と接触する領域を有するから、当該領域に上記ターンテーブル側の導電部１０５と同様な導電部を形成し、ディスクのクランパとの接触部に導電部（２に対応）を形成し、この導電部に電子回路等を接続するような構成にすることがきる。本発明によれば、縦接続部（６）は不要となる。本発明では、ディスク側の電子回路（４）、接続部（３）及び導電部（２）は、電子回路（４）をクランプとぶつからないように設ければ、クランパ２００との対向面に設けることができる。この場合、ディスク１と面接触しクランプ力が直接加わるクランプ領域に導電部（１０５対応）を形成するのが望ましいが、引用文献６のようにクランプ領域以外であっても、回転駆動時にディスクと電気的に接触するような部位に導電部を形成することもできる。引用文献６のような構成では、接触端子６１６は径方向に配設されており、しかも配設可能な領域は非常に狭いため、前述した欠点があるだけでなく、配設接触端子の数も大きな制約がある。一方、本発明では、ディスクの周方向に導電部が形成されるため、形成可能な導電部の数は格段に増加し、設計の自由度も格段に向上する。
【０１２５】
ところで、ディスクは、その一面がターンテーブル上に載置され、他面側から当該ディスクをターンテーブル側との接触領域全体をターンテーブル側に面的に押圧して固定、保持されるのであるから、“クランプ領域”とは、少なくともターンテーブル上では、回転駆動時の当該ディスクが接触する領域を意味し、図１や図２における点線で示すクランプ領域以外の領域をも含み、例えば、ディスクの一面側の開口穴周辺部に導電部をリング状に形成したり、複数個の離隔導電部を形成することもできる。ディスクの開口部周辺は、ディスクドライブ装置のターンテーブルの突出部に当接しており、クランパからのクランプ圧力も充分に加わること、また、ノートパソコンのように、クランパ２００がなく、ターンテーブル側の突出部に設けたディスク上面を押圧するクランプ部材を有する構造では、突出部に設けたクランプ部材の押圧力が直接的に加わること等、から確実な電気的接触が確立される。
【０１２６】
図１８には、かかる実施例の構成例を示す。図１８（Ａ）と（Ｂ）は、ディスク構成と、この構成のディスクを駆動するディスクドライブ装置の動作状態における簡略化された要部断面図が示されている。図１８（Ｂ）は、図５に対応するもので、同様機能を有する構成部は同一符号を付与している。
【０１２７】
図１８（Ａ）、図１８（Ｂ）を参照すると、ディスク１の一面側の開口穴５の周辺部にリング状（形状に限定されず、一部円弧、直線状等が可能であるし、それぞれが電子回路等に接続され、離隔形成することも可能）の導電部２を形成し、導電部２に接続部３を接続し、一方、他面側には電子回路４が設けられ、電子回路４と接続部３とが、ディスクを貫通する縦接続部６を介して接続されている。導電部２は、ターンテーブル側の、導電部１０５と電気的経路が確立される。例えば、前述実施例と同様に、周方向に離隔されている簡略化された斜視図である。本図は、ディスク１の一面側の開口穴５の周辺部に複数個の離隔導電部を形成し、複数個の導電部のそれぞれに複数個の接続部を接続し、一方、他面側には対応する複数個電子回路（電子的機能部）が設けられ、電子回路と接続部が、それぞれディスクを貫通する複数個の縦接続部を介して接続されている。具体的構成が図１８（Ｃ）に示されている。周方向に離隔されている簡略化された斜視図である。本図は、ディスク１の一面側の開口穴５の周辺部に４個の離隔導電部２Ａ〜２Ｄを形成し、各導電部２Ａ〜２Ｄに接続部３Ａ〜３Ｄを接続し、一方、他面側には対応する電子回路４Ａ〜４Ｄが設けられ、電子回路４Ａ〜４Ｄと接続部３Ａ〜３Ｄとが、それぞれディスクを貫通する縦接続部６Ａ〜６Ｄ（図示せず）を介して接続されている。
【０１２８】
以上の説明において、ディスク側とディスクドライブ装置側の各導電部は常に対応して形成されている必要はなく、一方に対応する導電部が存在しなくとも、当該存在しない導電部に関連する機能を無効とすることができる。したがって、ディスク側に形成する導電部は、ディスク特有にその数や位置を定めておき、ディスクドライブ装置側では、ディスク側に形成されている導電部との間でのみ信号の授受を行うことができる。したがって、また、ディスクが導電部等をもたない通常のディスクであっても、ディスクドライブ装置は通常の動作をし、互換性が維持できる。
【０１２９】
また、ディスク側とディスクドライブ装置側の導電部構成は、本願発明者が既に提案しているような種々の構造が考えられ、これらの複数の構造を全部または一部組み合わせて用いれば、より利用範囲が拡張される。
【０１３０】
例えば、図７等のクランパを有する構造では、ディスク面とクランパ面とがクランプ圧力を受けて強力に当接する部位があるから、その部位に対応するディスク側とクランパ側に導電部を形成する構造が考えられる。この場合には、クランパ側の導電部が接続部（１０６）を介してクランパ上部に設けた接続インタフェース部（３０１）に接続されて、その上部に設けられた接続インタフェース部（３０２）との間で信号授受が行われる。このとき、クランパ２００は比較的体積（容量）が大きく、その内部に回路構成を搭載できる。回路構成としては、ドライバ回路、電源等の任意の構成要素を想定できる。クランパ２００の面は前面がターンテーブルに密着当接して一体回転するので、ディスクに回路構成要素を搭載した場合の回転アンバランスの発生がないので、設計上も非常に有利となる。
【０１３１】
また、クランプ部材に（複数個の）導電部を形成し、ディスク側の回転時に当該導電部が接触する対応位置に（複数個の）導電部を形成する構造や、ディスクドライブ装置の突出部周壁に（複数個の）導電部を形成し、ディスクの開口穴の内周壁に対応する（複数個の）導電部を形成する構造等が考えられる。
【０１３２】
以上の実施例において、ディスク表面に形成される導電部は、単なる導電膜であればよいから蒸着により容易に膜形成することができる。また、導電膜を表面に貼り付けることもできるし、蒸着以外の他の任意の方法で形成することもできる。
【０１３３】
ディスクとディスクドライブ装置側のそれぞれに電波信号授受のためのアンテナを設ける構成では、両アンテナ間は離隔配設可能であり、近接配設すれば、電波強度は微弱でもよく、外部からのノイズの影響を受けたり、外部への信号漏れもほとんどなく、確実な通信が可能となる。両アンテナの直接接触を避けるために、少なくとも一方のアンテナ表面を保護膜（例えば、絶縁膜）で被覆しておけば両者を接触させることもできる。
【０１３４】
以上、本発明によるディスクドライブ装置並びにディスクの好適実施例の構成を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。すなわち、本発明は上述実施例で説明したディスクドライブ装置とディスクに限定するものではなく、回転材を接触して保持（把持）部材により保持（把持）して回転させる回転機構における回転材と回転機構についても同様に適用可能である。
【０１３５】
また、ディスクとディスクドライブ装置側の導電部の形状は任意であるが、より確実な電気的接続を得るために、クランプ時に導電部が嵌合するような形状（一方が凹形状で、他方が凸形状）とすることもできる。このとき、材料を弾性材とすることができる。
【０１３６】
なお、ディスクドライブ装置によりディスクの電子回路から取得した情報を外部のコンピュータ等の処理装置で処理し、また当該処理装置で処理された信号又は電子回路で処理された信号をディスクのＲＡＭ領域や電子回路内または別設のメモリ等に書き込むように構成することもでき、その処理は任意である。
【０１３７】
上述実施例において、電子回路はディスク内に埋設することができ、そうすることにより外部からの(手あかや油等)の汚れ、傷を受ける等を回避できるようになる。また、ディスク表面上に形成した電子回路を何らかの絶縁材料で被覆することにより電子回部やメモリ等を汚れや衝撃、更には水に対する防止策となる。
【０１３８】
ディスクのクランプ領域の外側に複数個の電子回路を搭載する場合には、ディスク中心から対称位置にそれぞれの電子回路を設置するようにすればディスク全体のバランスを維持できるようになる。この場合、導電部はディスクとディスクドライブ装置側において径方向に離隔しておいて互いの電気的接触を回避する。同様に対となる電子回路を搭載する場合には、一対の電子回路はディスク開口孔中心に対して対称位置に形成することができる。
【０１３９】
以上の説明から明らかなように、本発明は、電子回路を搭載していない通常のディスクであっても使用可能である。すなわち、電子回路を搭載していないディスクを本発明によるディスクドライブ装置に利用した場合には、ディスクドライブ装置側の導電部には、何らの導電部が接触するわけではないので、通常のディスクドライブ装置として動作することになる。
【０１４０】
なお、上述した多くの実施例は、それぞれ単独で利用することもできるし、いくつかを組み合わせて利用することは勿論可能であり、その結果、相乗的な効果を得ることができる。
【図面の簡単な説明】
【０１４１】
【図１（Ａ）】本発明によるディスクの構成を模式的に示す平面図である。
【図１（Ｂ）】本発明によるディスクの構成を模式的に示す平面図である。
【図１（Ｃ）】本発明によるディスクの構成を模式的に示す平面図である。
【図２】本発明による他のディスクの構成を模式的に示す平面図である。
【図３（Ａ）】本発明で利用する特有構成の縦接続部の構成を説明するための図である。
【図３（Ｂ）】本発明で利用する特有構成の縦接続部の構成を説明するための図である。
【図３（Ｃ）】本発明で利用する特有構成の縦接続部の構成を説明するための図である。
【図４】本発明によるディスクドライブ装置の構成を説明するための模式化された概略断面図である。
【図５】本発明による他のディスクドライブ装置の構成を説明するための簡略化された要部断面図である。
【図６】本発明による更に他のディスクドライブ装置の構成を説明するための模式化された概略断面図である。
【図７】本発明による他のディスクドライブ装置の構成を説明するための模式化された要部の概略断面図である。
【図８（Ａ）】本発明による更に他のディスクドライブ装置の構成を説明するための模式化された要部の概略断面図である。
【図８（Ｂ）】本発明の実施例を示す模式化された要部の概略断面図である。
【図８（Ｃ）】本発明の実施例を示す模式化された要部の概略断面図である。
【図８（Ｄ）】本発明の実施例を示す模式化された要部の概略断面図である。
【図８（Ｅ）】本発明の実施例を示す模式化された要部の概略断面図である。
【図９】本発明で利用するディスクとディスクドライブ装置側との位置関係を規定するための特有な構成を模式化した要部斜視図である。
【図１０】本発明で利用するディスクとディスクドライブ装置側との位置関係を規定するための他の特有な構成を模式化した要部斜視図である。
【図１１】本発明におけるディスクとディスクドライブ装置の構成を模式的に示す一部斜視図である。
【図１２】本発明におけるディスクドライブ装置の構成を模式的に示す要部断面図である。
【図１３】本発明におけるディスクドライブ装置の構成を模式的に示す要部断面図である。
【図１４】本発明によるディスクの構成を説明するための模式化された要部の斜視図である。
【図１５】本発明によるディスクの他の構成を説明するための模式化された要部の斜視図である。
【図１６（Ａ）】本発明によるディスクドライブ装置とディスクの構成を説明するための模式化された要部の概略断面図である。
【図１６（Ｂ）】本発明によるディスクドライブ装置とディスクの構成を説明するための模式化された要部の概略断面図である。
【図１７】本発明によるディスクの構成を模式的に示す斜視図である。
【図１８（Ａ）】本発明によるディスクドライブ装置とディスクの構成を説明するための模式化された要部の概略断面図である。
【図１８（Ｂ）】本発明によるディスクドライブ装置とディスクの構成を説明するための模式化された要部の概略断面図である。
【図１８（Ｃ）】本発明によるディスクドライブ装置とディスクの構成を説明するための模式化された要部の概略断面図である。
【図１９】従来のディスクドライブ装置の構成を説明するための模式化された要部の概略断面図である。
【符号の説明】
【０１４２】
１                  光ディスク
２、２Ａ〜２Ｃ、１０５、１０７、１０７Ａ〜１０７Ｃ、２０１  導電部
３、３Ａ〜３Ｃ、３ＡＢ、３ＡＣ      接続線部
４、４Ａ〜４Ｃ      電子回路
４Ｄ                バッテリ
５                  開口穴
６、６Ａ〜６Ｄ      縦接続部
７                  スリット
１５、１５０        凹部
１００              ターンテーブル
１０１              突出部
１０２              回転軸部
１０３              回転駆動部
１０４              載置部
１０６              電気接続線
１０７              凹部
１１０              磁石
１２０Ａ、１２０Ｂ  クランプ部材
１３０、１４０      凸部
１５、１５０        凹部
１６０              接続部材
１６１              回転軸
１６２              導電部
１６３              導電線
２００              クランパ
２０１              凹部
２１０              開口部
３０１、３０２      接続インタフェース部
４００              プリント基板
【図１（Ａ）】
2007004974.tif 000003
【図１（Ｂ）】
2007004974.tif 000004
【図１（Ｃ）】
2007004974.tif 000005
【図２】
2007004974.tif 000006
【図３（Ａ）】
2007004974.tif 000007
【図３（Ｂ）】
2007004974.tif 000008
【図３（Ｃ）】
2007004974.tif 000009
【図４】
2007004974.tif 000010
【図５】
2007004974.tif 000011
【図６】
2007004974.tif 000012
【図７】
2007004974.tif 000013
【図８（Ａ）】
2007004974.tif 000014
【図８（Ｂ）】
2007004974.tif 000015
【図８（Ｃ）】
2007004974.tif 000016
【図８（Ｄ）】
2007004974.tif 000017
【図８（Ｅ）】
2007004974.tif 000018
【図９】
2007004974.tif 000019
【図１０】
2007004974.tif 000020
【図１１】
2007004974.tif 000021
【図１２】
2007004974.tif 000022
【図１３】
2007004974.tif 000023
【図１４】
2007004974.tif 000024
【図１５】
2007004974.tif 000025
【図１６（Ａ）】
2007004974.tif 000026
【図１６（Ｂ）】
2007004974.tif 000027
【図１７】
2007004974.tif 000028
【図１８（Ａ）】
2007004974.tif 000029
【図１８（Ｂ）】
2007004974.tif 000030
【図１８（Ｃ）】
2007004974.tif 000031
【図１９】
2007004974.tif 000032
【手続補正書】
【提出日】平成18年11月14日(2006.11.14)
【手続補正１】
【補正対象書類名】特許請求の範囲
【補正対象項目名】全文
【補正方法】変更
【補正の内容】
【特許請求の範囲】
【請求項１】
突出部に挿入される中央開口穴を有し、一面側に光学情報が記録されるディスクの前記一面側がターンテーブル上に載置され、クランパによってクランプされ、回転駆動されて前記光学情報を読み出し、書き込みを行うディスクドライブシステムにおいて、
前記ディスクの他面上における前記中央開口穴近傍の周方向表面には、前記ディスクに設けられた電子回路部に接続された複数の第１の導電部が形成され、
前記突出部の周壁の周方向には、前記突出部から延出し、前記ディスクの前記突出部への挿入、装着、回転駆動時に前記ディスクの前記第１の導電部とそれぞれ電気的に接触する複数の電気的接続部が設けられ、
前記ディスクの回転駆動時に、前記複数の第１の導電部と前記複数の電気的接続部のそれぞれの電気的接触を介して前記ディスクの電子回路とディスクドライブ装置側との信号の授受を行うことを特徴とするディスクドライブシステム。
【請求項２】
突出部に挿入される中央開口穴を有し、一面側に光学情報が記録されるディスクの前記一面側がターンテーブル上に載置され、クランパによってクランプされ、回転駆動されて前記光学情報を読み出し、書き込みを行うディスクドライブシステムにおいて、
前記ディスクの他面上における前記中央開口穴近傍の周方向表面には、前記ディスクに設けられた電子回路部に接続された複数の第１の導電部が形成され、
前記突出部の周壁の周方向には、前記突出部から延出し、前記ディスクの前記突出部への挿入、装着、回転駆動時に前記ディスクの前記第１の導電部を前記ディスクの厚み方向に押圧してそれぞれと電気的に接触させる複数の電気的接続部が設けられ、
前記ディスクの回転駆動時に、前記複数の第１の導電部と前記複数の電気的接続部のそれぞれの電気的接触を介して前記ディスクの電子回路とディスクドライブ装置側との信号の授受を行うことを特徴とするディスクドライブシステム。
【請求項３】
一面側に光学情報が記録されるディスクの前記一面側がターンテーブル上に載置され、前記ディスクの中央開口穴が挿入される突出部に設けられた前記ディスクの他面を押圧する複数のクランプピンによりクランプした後、回転駆動するディスクドライブシステムにおいて、
前記クランプピンにはクランプ導電部が設けられ、
前記ディスクの他面側であって前記中央開口穴周辺の周方向表面には、前記ディスクに設けられた電子回路部に接続された複数の第１の導電部が形成され、
前記ディスクの回転駆動時に、前記クランプピンのクランプ導電部を対応する前記ディスクの前記第１の導電部に押圧して電気的に接触させ、
前記ディスクの回転駆動時に、前記第１の導電部と前記クランプピンのクランプ導電部を介して前記電子回路と前記ディスクドライブ装置側との間で信号の授受を行うことを特徴とするディスクドライブシステム。
【請求項４】
突出部に挿入される中央開口穴を有し、一面側に光学情報が記録されるディスクの前記一面側がターンテーブル上に載置され、クランパによってクランプされ、回転駆動されて前記光学情報を読み出し、書き込みを行うディスクドライブシステムにおいて、
前記ディスクの他面上における前記中央開口穴近傍の周方向表面には、前記ディスクに設けられた電子回路部に接続された複数の第１の導電部が形成され、
前記突出部の周壁の周方向には、前記突出部から延出し、前記ディスクの前記突出部への挿入、装着、回転駆動時に前記ディスクの前記第１の導電部とそれぞれ電気的に接触する複数の電気的接続部が設けられ、
前記複数の電気的接続部のうち、一つの電気的接続部は前記回転軸の一端側面の中央部に設けられた第１の接続インタフェース部に接続され、
前記第１の接続インタフェース部と対向し、離隔設置された第２の接続インタフェース部が設けられ、
前記ディスクを前記ターンテーブル上に載置し、クランプ、回転駆動時に、前記第１と電気的接続部を介して前記電子回路部と前記ターンテーブル側のディスクドライブ装置側との間で信号の授受を行うことを特徴とするディスクドライブシステム。
【請求項５】
突出部に挿入される中央開口穴を有し、一面側に光学情報が記録されるディスクの前記一面側がターンテーブル上に載置され、クランパによってクランプされ、回転駆動されて前記光学情報を読み出し、書き込みを行うディスクドライブシステムにおいて、
前記ディスクの他面上における前記中央開口穴近傍の周方向表面には、前記ディスクに設けられた電子回路部に接続された複数の第１の導電部が形成され、
前記突出部の周壁の周方向には、前記突出部から延出し、前記ディスクの前記突出部への挿入、装着、回転駆動時に前記ディスクの前記第１の導電部を前記ディスクの厚み方向に押圧してそれぞれを電気的に接触させる複数の電気的接続部が設けられ、
前記複数の電気的接続部のうち、一つの電気的接続部は前記回転軸の一端側面の中央部に設けられた第１の接続インタフェース部に接続され、
前記第１の接続インタフェース部と対向し、離隔設置された第２の接続インタフェース部が設けられ、
前記ディスクを前記ターンテーブル上に載置し、クランプ、回転駆動時に、前記第１と電気的接続部を介して前記電子回路部と前記ターンテーブル側のディスクドライブ装置側との間で信号の授受を行うことを特徴とするディスクドライブシステム。
【請求項６】
一面側に光学情報が記録されるディスクの前記一面側がターンテーブル上に載置され、前記ディスクの中央開口穴が挿入される突出部に設けられた前記ディスクの他面を押圧する複数のクランプピンによりクランプした後、回転駆動するディスクドライブシステムにおいて、
前記クランプピンにはクランプ導電部が設けられ、
前記ディスクの他面側であって前記中央開口穴周辺の周方向表面には、前記ディスクに設けられた電子回路部に接続された複数の第１の導電部が形成され、
前記ディスクの回転駆動時に、前記クランプピンのクランプ導電部を対応する前記ディスクの前記第１の導電部に押圧して電気的に接触させ、
前記複数のクランプピンのうち、一つのクランプピンは前記回転軸の一端側面の中央部に設けられた第１の接続インタフェース部に接続され、
前記第１の接続インタフェース部と対向し、離隔設置された第２の接続インタフェース部が設けられ、
前記ディスクを前記ターンテーブル上に載置し、クランプ、回転駆動時に、前記第１の導電部とクランプピンを介して前記電子回路部と前記ターンテーブル側のディスクドライブ装置側との間で信号の授受を行うことを特徴とするディスクドライブシステム。
【請求項７】
一面側に光学情報が記録されるディスクの前記一面側がターンテーブル上に載置され、クランパによりクランプされ、回転軸により回転駆動されて前記光学情報を読み出し、書き込みを行うディスクドライブシステムにおいて、
前記ディスクの他面側であって前記中央開口穴周辺の周方向表面には、前記ディスクに設けられた電子回路部に接続された複数の第１の導電部が形成され、
前記突出部の周壁の周方向には、前記突出部から延出し、前記ディスクの前記突出部への挿入、装着、回転駆動時に前記ディスクの前記第１の導電部とそれぞれと電気的に接触する複数の電気的接続部が設けられ、
前記複数の電気的接続部のうち、一つの電気的接続部は前記回転軸の一端側に設けられた第１の接続インタフェース部に接続され、他の電気的接続部は回転軸の他端側に設けられた第２の接続インタフェース部に接続され、
前記第１と第２の接続インタフェース部とそれぞれと対向し、離隔設置された第３と第４の接続インタフェース部が設けられ、
前記ディスクを前記ターンテーブル上に載置し、クランプ、回転駆動時に、前記第１と第２の導電部を介して前記電子回路部と前記ターンテーブル側のディスクドライブ装置側との間で信号の授受を行うとともに、前記第１乃至第４の接続インタフェース部を介して回転部であるディスク側と静止部であるディスクドライブ装置側との通信を行うことを特徴とするディスクドライブシステム。
【請求項８】
前記電気的接続部は、通常時には前記突出部に収納されており、前記ディスクの前記突出部への挿入、装着、回転駆動時に露出するように構成されていることを特徴とする請求項１、２、４、５または７に記載のディスクドライブシステム。
【請求項９】
前記電子回路部の前記ディスクへの取り付け及び前記ディスクからの取り外しを可能とする係止部が設けられ、一つの電子回路部を複数枚のディスクで共用可能とすることを特徴とする請求項１乃至８のいずれかに記載のディスクドライブシステム。
【請求項１０】
前記ディスクとターンテーブルとの回転方向の位置決め手段を有することを特徴とする請求項１乃至９のいずれかに記載のディスクドライブシステム。
【請求項１１】
前記第1の導電部と前記電気的接続部またはクランプピンは、一方が凸状部を有し他方が凹状部を有し、前記ディスクの回転、駆動時には前記第1の導電部と前記電気的接続部の前記凸状部と凹状部とが嵌合することを特徴とする請求項１乃至１０のいずれかに記載のディスクドライブシステム。
【請求項１２】
前記第1の導電部と前記電気的接続部またはクランプピンの少なくとも一方は弾性構造を有することを特徴とする請求項１乃至１１のいずれかに記載のディスクドライブシステム。
【請求項１３】
ディスクドライブ装置のディスクが載置されるターンテーブルの中央部に設けられた突出部に挿入される中央開口穴を有し、一面側に光学情報が記録されるディスクの前記一面側がターンテーブル上に載置され、クランパによってクランプされ、回転駆動されて前記光学情報が読み出し、書き込みされるディスクであって、
前記他面上における前記中央開口穴近傍の周方向表面には、前記ディスクに設けられた電子回路部に接続された複数の第１の導電部が形成され、
前記ディスクの前記第１の導電部は、前記ディスクの前記突出部への挿入、装着時に前記突出部の周壁の周方向に設けられた複数の電気的接続部とそれぞれが電気的に接触され、
前記ディスクの回転駆動時に、前記複数の第１の導電部と前記複数の電気的接続部のそれぞれの電気的接触を介して前記ディスクの電子回路とディスクドライブ装置側との信号の授受が行われることを特徴とするディスク。
【請求項１４】
ディスクドライブ装置のディスクが載置されるターンテーブルの中央部に設けられた突出部に挿入される中央開口穴を有し、一面側に光学情報が記録されるディスクの前記一面側がターンテーブル上に載置され、クランパによってクランプされ、回転駆動されて前記光学情報が読み出し、書き込みされるディスクであって、
前記他面上における前記中央開口穴近傍の周方向表面には、前記ディスクに設けられた電子回路部に接続された複数の第１の導電部が形成され、
前記ディスクの前記第１の導電部は、前記ディスクの前記突出部への挿入、装着時に前記突出部の周壁の周方向に前記突出部から延出して設けられ、前記ディスクの前記第１の導電部を前記ディスクの厚み方向に押圧接触する複数の電気的接続部によりそれぞれ電気的に接触し、
前記ディスクの回転駆動時に、前記複数の第１の導電部と前記複数の電気的接続部のそれぞれの電気的接触を介して前記ディスクの電子回路とディスクドライブ装置側との信号の授受が行われることを特徴とするディスク。
【請求項１５】
一面側に光学情報が記録され、前記一面側がターンテーブル上に載置され、前記ディスクの中央開口穴が挿入される突出部の周壁部に設けられた前記ディスクの他面を押圧する複数のクランプピンによりクランプされて回転駆動されディスクであって、
前記ディスクの他面側であって前記中央開口穴周辺の周方向には、前記ディスクに設けられた電子回路部に接続された複数の第１の導電部が形成され、
前記ディスクの回転駆動時に、前記クランプピンに設けられたクランプ導電部を対応する前記ディスクの前記第１の導電部に押圧して電気的に接触させることにより、前記第１の導電部と前記クランプピンのクランプ導電部を介して前記電子回路と前記ディスクドライブ装置側との間で信号の授受が行われることを特徴とするディスク。
【請求項１６】
ディスクドライブ装置のディスクが載置されるターンテーブルの中央部に設けられた突出部の回転軸により回転駆動されて前記光学情報を読み出し、書き込みが行われるディスクであって、
前記ディスクの他面側であって前記中央開口穴周辺の周方向には、前記ディスクに設けられた電子回路部に接続された複数の第１の導電部が形成され、
前記突出部の周壁の周方向には、前記突出部から延出する電気的接続部により、前記ディスクの前記突出部への挿入、装着、回転駆動時に前記ディスクの前記第１の導電部を押圧してそれぞれを電気的に接触させ、
前記複数の電気的接続部のうち、一つの電気的接続部は前記回転軸の一端側に設けられた第１の接続インタフェース部に接続され、他の電気的接続部は回転軸の他端側に設けられた第２の接続インタフェース部に接続され、
前記第１と第２の接続インタフェース部とそれぞれと対向し、離隔設置された第３と第４の接続インタフェース部が設けられ、
前記ディスクを前記ターンテーブル上に載置し、クランプ、回転駆動時に、前記第１と第２の導電部を介して前記電子回路部と前記ターンテーブル側のディスクドライブ装置側との間で信号の授受を行うとともに、前記第１乃至第４の接続インタフェース部を介して回転部であるディスク側と静止部であるディスクドライブ装置側との通信を行うことを特徴とするディスク。
【請求項１７】
一面側がターンテーブル上に載置され、クランパによってクランプされ、回転駆動されて光学情報の読み出し、書き込みが行われるディスクであって、
前記ディスクの他面側表面であって、前記ディスクの中央開口穴中心から異なる半径位置のそれぞれの周方向に複数の第１の導電部が形成され、
前記突出部の周壁の周方向であって異なる半径位置に延出して設けられ、前記ディスクの前記突出部への挿入、装着、回転駆動時に前記ディスクの前記第１の導電部を押圧してそれぞれと電気的に接触する複数の電気的接続部によって、前記複数の第１の導電部と前記複数の電気的接続部のそれぞれの電気的接触を介して前記ディスクの電子回路とディスクドライブ装置側との信号の授受が行われることを特徴とするディスク。
【請求項１８】
前記電気的接続部は、通常時には前記突出部に収納されており、前記ディスクの前記突出部への挿入、装着時に露出するように構成されていることを特徴とする請求項１３、１４又は１６のいずれかに記載のディスク。
【請求項１９】
前記電子回路部の前記ディスクへの取り付け及び前記ディスクからの取り外しを可能とする係止部が設けられ、一つの電子回路部を複数枚のディスクで共用可能とすることを特徴とする請求項１３乃至１８のいずれかに記載のディスク。
【請求項２０】
前記ターンテーブルとの回転方向の位置決めをする位置手段を有することを特徴とする請求項１３乃至１８のいずれかに記載のディスク。
【請求項２１】
前記第1の導電部と前記電気的接続部またはクランプピンは、一方が凸状部を有し他方が凹状部を有し、前記ディスクの回転、駆動時には前記第1の導電部と前記電気的接続部の前記凸状部と凹状部とが嵌合することを特徴とする請求項１３乃至１８のいずれかに記載のディスク。
【請求項２２】
前記第1の導電部と前記電気的接続部またはクランプピンの少なくとも一方は弾性構造を有することを特徴とする請求項１３乃至１８のいずれかに記載のディスク。
【手続補正３】
【補正対象書類名】明細書
【補正対象項目名】０００１
【補正方法】変更
【補正の内容】
【０００１】
本発明はディスクドライブシステム及びそれに用いるディスク（ディスク信号処理システム及びディスクを含み得る）に関し、例えば、ディスク（回転記録媒体）とディスクドライブ装置間での信号の送受信を簡単な構成で確実に行なうディスクドライブシステム及びそれに用いるディスクに関する。
【手続補正４】
【補正対象書類名】明細書
【補正対象項目名】００２７
【補正方法】変更
【補正の内容】
【００２７】
そこで、本発明の目的は、上述課題を悉く解決し、低コスト、簡単な構成でディスク側とディスクドライブ装置側間で信号の確実な送受信を可能とするディスクドライブシステム及びそれに用いるディスクを提供することにある。
【手続補正５】
【補正対象書類名】明細書
【補正対象項目名】００２８
【補正方法】変更
【補正の内容】
【００２８】
本発明の他の目的は、ディスクと外部装置間の電気信号の確実な送受信を可能としてディスク利用分野の拡張性を格段に改善する低コストで簡単な構成のディスクドライブシステム及びそれに用いるディスクを提供することにある。
【手続補正６】
【補正対象書類名】明細書
【補正対象項目名】００２９
【補正方法】変更
【補正の内容】
【００２９】
本発明の更に他の目的は、低コスト、簡単な構成でディスク側とディスクドライブ装置側間で複数信号の確実な送受信も可能とするディスクドライブシステム及びそれに用いるディスクを提供することにある。
【手続補正７】
【補正対象書類名】明細書
【補正対象項目名】００３０
【補正方法】変更
【補正の内容】
【００３０】
本発明の他の目的は、各面での設計の自由度が高いディスクドライブシステム及びそれに用いるディスクを提供することにある。
【手続補正８】
【補正対象書類名】明細書
【補正対象項目名】００３２
【補正方法】変更
【補正の内容】
【００３２】
上述課題を解決するため、本発明によるディスクドライブシステム及びそれに用いるディスクは次のような特徴的な構成を採用している。
【手続補正９】
【補正対象書類名】明細書
【補正対象項目名】００３３
【補正方法】変更
【補正の内容】
【００３３】
（１）突出部に挿入される中央開口穴を有し、一面側に光学情報が記録されるディスクの前記一面側がターンテーブル上に載置され、クランパによってクランプされ、回転駆動されて前記光学情報を読み出し、書き込みを行うディスクドライブシステムにおいて、
前記ディスクの他面上における前記中央開口穴近傍の周方向表面には、前記ディスクに設けられた電子回路部に接続された複数の第１の導電部が形成され、
前記突出部の周壁の周方向には、前記突出部から延出し、前記ディスクの前記突出部への挿入、装着、回転駆動時に前記ディスクの前記第１の導電部とそれぞれ電気的に接触する複数の電気的接続部が設けられ、
前記ディスクの回転駆動時に、前記複数の第１の導電部と前記複数の電気的接続部のそれぞれの電気的接触を介して前記ディスクの電子回路とディスクドライブ装置側との信号の授受を行うディスクドライブシステム。
（２）突出部に挿入される中央開口穴を有し、一面側に光学情報が記録されるディスクの前記一面側がターンテーブル上に載置され、クランパによってクランプされ、回転駆動されて前記光学情報を読み出し、書き込みを行うディスクドライブシステムにおいて、
前記ディスクの他面上における前記中央開口穴近傍の周方向表面には、前記ディスクに設けられた電子回路部に接続された複数の第１の導電部が形成され、
前記突出部の周壁の周方向には、前記突出部から延出し、前記ディスクの前記突出部への挿入、装着、回転駆動時に前記ディスクの前記第１の導電部を前記ディスクの厚み方向に押圧してそれぞれと電気的に接触させる複数の電気的接続部が設けられ、
前記ディスクの回転駆動時に、前記複数の第１の導電部と前記複数の電気的接続部のそれぞれの電気的接触を介して前記ディスクの電子回路とディスクドライブ装置側との信号の授受を行うディスクドライブシステム。
（３）一面側に光学情報が記録されるディスクの前記一面側がターンテーブル上に載置され、前記ディスクの中央開口穴が挿入される突出部に設けられた前記ディスクの他面を押圧する複数のクランプピンによりクランプした後、回転駆動するディスクドライブシステムにおいて、
前記クランプピンにはクランプ導電部が設けられ、
前記ディスクの他面側であって前記中央開口穴周辺の周方向表面には、前記ディスクに設けられた電子回路部に接続された複数の第１の導電部が形成され、
前記ディスクの回転駆動時に、前記クランプピンのクランプ導電部を対応する前記ディスクの前記第１の導電部に押圧して電気的に接触させ、
前記ディスクの回転駆動時に、前記第１の導電部と前記クランプピンのクランプ導電部を介して前記電子回路と前記ディスクドライブ装置側との間で信号の授受を行うディスクドライブシステム。
（４）突出部に挿入される中央開口穴を有し、一面側に光学情報が記録されるディスクの前記一面側がターンテーブル上に載置され、クランパによってクランプされ、回転駆動されて前記光学情報を読み出し、書き込みを行うディスクドライブシステムにおいて、
前記ディスクの他面上における前記中央開口穴近傍の周方向表面には、前記ディスクに設けられた電子回路部に接続された複数の第１の導電部が形成され、
前記突出部の周壁の周方向には、前記突出部から延出し、前記ディスクの前記突出部への挿入、装着、回転駆動時に前記ディスクの前記第１の導電部とそれぞれ電気的に接触する複数の電気的接続部が設けられ、
前記複数の電気的接続部のうち、一つの電気的接続部は前記回転軸の一端側面の中央部に設けられた第１の接続インタフェース部に接続され、
前記第１の接続インタフェース部と対向し、離隔設置された第２の接続インタフェース部が設けられ、
前記ディスクを前記ターンテーブル上に載置し、クランプ、回転駆動時に、前記第１と電気的接続部を介して前記電子回路部と前記ターンテーブル側のディスクドライブ装置側との間で信号の授受を行うディスクドライブシステム。
（５）突出部に挿入される中央開口穴を有し、一面側に光学情報が記録されるディスクの前記一面側がターンテーブル上に載置され、クランパによってクランプされ、回転駆動されて前記光学情報を読み出し、書き込みを行うディスクドライブシステムにおいて、
前記ディスクの他面上における前記中央開口穴近傍の周方向表面には、前記ディスクに設けられた電子回路部に接続された複数の第１の導電部が形成され、
前記突出部の周壁の周方向には、前記突出部から延出し、前記ディスクの前記突出部への挿入、装着、回転駆動時に前記ディスクの前記第１の導電部を前記ディスクの厚み方向に押圧してそれぞれを電気的に接触させる複数の電気的接続部が設けられ、
前記複数の電気的接続部のうち、一つの電気的接続部は前記回転軸の一端側面の中央部に設けられた第１の接続インタフェース部に接続され、
前記第１の接続インタフェース部と対向し、離隔設置された第２の接続インタフェース部が設けられ、
前記ディスクを前記ターンテーブル上に載置し、クランプ、回転駆動時に、前記第１と電気的接続部を介して前記電子回路部と前記ターンテーブル側のディスクドライブ装置側との間で信号の授受を行うディスクドライブシステム。
（６）一面側に光学情報が記録されるディスクの前記一面側がターンテーブル上に載置され、前記ディスクの中央開口穴が挿入される突出部に設けられた前記ディスクの他面を押圧する複数のクランプピンによりクランプした後、回転駆動するディスクドライブシステムにおいて、
前記クランプピンにはクランプ導電部が設けられ、
前記ディスクの他面側であって前記中央開口穴周辺の周方向表面には、前記ディスクに設けられた電子回路部に接続された複数の第１の導電部が形成され、
前記ディスクの回転駆動時に、前記クランプピンのクランプ導電部を対応する前記ディスクの前記第１の導電部に押圧して電気的に接触させ、
前記複数のクランプピンのうち、一つのクランプピンは前記回転軸の一端側面の中央部に設けられた第１の接続インタフェース部に接続され、
前記第１の接続インタフェース部と対向し、離隔設置された第２の接続インタフェース部が設けられ、
前記ディスクを前記ターンテーブル上に載置し、クランプ、回転駆動時に、前記第１の導電部とクランプピンを介して前記電子回路部と前記ターンテーブル側のディスクドライブ装置側との間で信号の授受を行うディスクドライブシステム。
（７）一面側に光学情報が記録されるディスクの前記一面側がターンテーブル上に載置され、クランパによりクランプされ、回転軸により回転駆動されて前記光学情報を読み出し、書き込みを行うディスクドライブシステムにおいて、
前記ディスクの他面側であって前記中央開口穴周辺の周方向表面には、前記ディスクに設けられた電子回路部に接続された複数の第１の導電部が形成され、
前記突出部の周壁の周方向には、前記突出部から延出し、前記ディスクの前記突出部への挿入、装着、回転駆動時に前記ディスクの前記第１の導電部とそれぞれと電気的に接触する複数の電気的接続部が設けられ、
前記複数の電気的接続部のうち、一つの電気的接続部は前記回転軸の一端側に設けられた第１の接続インタフェース部に接続され、他の電気的接続部は回転軸の他端側に設けられた第２の接続インタフェース部に接続され、
前記第１と第２の接続インタフェース部とそれぞれと対向し、離隔設置された第３と第４の接続インタフェース部が設けられ、
前記ディスクを前記ターンテーブル上に載置し、クランプ、回転駆動時に、前記第１と第２の導電部を介して前記電子回路部と前記ターンテーブル側のディスクドライブ装置側との間で信号の授受を行うとともに、前記第１乃至第４の接続インタフェース部を介して回転部であるディスク側と静止部であるディスクドライブ装置側との通信を行うディスクドライブシステム。
（８）前記電気的接続部は、通常時には前記突出部に収納されており、前記ディスクの前記突出部への挿入、装着、回転駆動時に露出するように構成されている上記（１）、（２）、（４）、（５）または（７）のディスクドライブシステム。
（９）前記電子回路部の前記ディスクへの取り付け及び前記ディスクからの取り外しを可能とする係止部が設けられ、一つの電子回路部を複数枚のディスクで共用可能とする上記（１）乃至（８）のいずれかのディスクドライブシステム。
（１０）前記ディスクとターンテーブルとの回転方向の位置決め手段を有する上記（１）乃至（９）のいずれかのディスクドライブシステム。
（１１）前記第1の導電部と前記電気的接続部またはクランプピンは、一方が凸状部を有し他方が凹状部を有し、前記ディスクの回転、駆動時には前記第1の導電部と前記電気的接続部の前記凸状部と凹状部とが嵌合する上記（１）乃至（１０）のいずれかのディスクドライブシステム。
（１２）前記第1の導電部と前記電気的接続部またはクランプピンの少なくとも一方は弾性構造を有する上記（１）乃至（１１）のいずれかのディスクドライブシステム。
（１３）ディスクドライブ装置のディスクが載置されるターンテーブルの中央部に設けられた突出部に挿入される中央開口穴を有し、一面側に光学情報が記録されるディスクの前記一面側がターンテーブル上に載置され、クランパによってクランプされ、回転駆動されて前記光学情報が読み出し、書き込みされるディスクであって、
前記他面上における前記中央開口穴近傍の周方向表面には、前記ディスクに設けられた電子回路部に接続された複数の第１の導電部が形成され、
前記ディスクの前記第１の導電部は、前記ディスクの前記突出部への挿入、装着時に前記突出部の周壁の周方向に設けられた複数の電気的接続部とそれぞれが電気的に接触され、
前記ディスクの回転駆動時に、前記複数の第１の導電部と前記複数の電気的接続部のそれぞれの電気的接触を介して前記ディスクの電子回路とディスクドライブ装置側との信号の授受が行われるディスク。
（１４）ディスクドライブ装置のディスクが載置されるターンテーブルの中央部に設けられた突出部に挿入される中央開口穴を有し、一面側に光学情報が記録されるディスクの前記一面側がターンテーブル上に載置され、クランパによってクランプされ、回転駆動されて前記光学情報が読み出し、書き込みされるディスクであって、
前記他面上における前記中央開口穴近傍の周方向表面には、前記ディスクに設けられた電子回路部に接続された複数の第１の導電部が形成され、
前記ディスクの前記第１の導電部は、前記ディスクの前記突出部への挿入、装着時に前記突出部の周壁の周方向に前記突出部から延出して設けられ、前記ディスクの前記第１の導電部を前記ディスクの厚み方向に押圧接触する複数の電気的接続部によりそれぞれ電気的に接触し、
前記ディスクの回転駆動時に、前記複数の第１の導電部と前記複数の電気的接続部のそれぞれの電気的接触を介して前記ディスクの電子回路とディスクドライブ装置側との信号の授受が行われるディスク。
（１５）一面側に光学情報が記録され、前記一面側がターンテーブル上に載置され、前記ディスクの中央開口穴が挿入される突出部の周壁部に設けられた前記ディスクの他面を押圧する複数のクランプピンによりクランプされて回転駆動されディスクであって、
前記ディスクの他面側であって前記中央開口穴周辺の周方向には、前記ディスクに設けられた電子回路部に接続された複数の第１の導電部が形成され、
前記ディスクの回転駆動時に、前記クランプピンに設けられたクランプ導電部を対応する前記ディスクの前記第１の導電部に押圧して電気的に接触させることにより、前記第１の導電部と前記クランプピンのクランプ導電部を介して前記電子回路と前記ディスクドライブ装置側との間で信号の授受が行われるディスク。
（１６）ディスクドライブ装置のディスクが載置されるターンテーブルの中央部に設けられた突出部の回転軸により回転駆動されて前記光学情報を読み出し、書き込みが行われるディスクであって、
前記ディスクの他面側であって前記中央開口穴周辺の周方向には、前記ディスクに設けられた電子回路部に接続された複数の第１の導電部が形成され、
前記突出部の周壁の周方向には、前記突出部から延出する電気的接続部により、前記ディスクの前記突出部への挿入、装着、回転駆動時に前記ディスクの前記第１の導電部を押圧してそれぞれを電気的に接触させ、
前記複数の電気的接続部のうち、一つの電気的接続部は前記回転軸の一端側に設けられた第１の接続インタフェース部に接続され、他の電気的接続部は回転軸の他端側に設けられた第２の接続インタフェース部に接続され、
前記第１と第２の接続インタフェース部とそれぞれと対向し、離隔設置された第３と第４の接続インタフェース部が設けられ、
前記ディスクを前記ターンテーブル上に載置し、クランプ、回転駆動時に、前記第１と第２の導電部を介して前記電子回路部と前記ターンテーブル側のディスクドライブ装置側との間で信号の授受を行うとともに、前記第１乃至第４の接続インタフェース部を介して回転部であるディスク側と静止部であるディスクドライブ装置側との通信を行うディスク。
（１７）一面側がターンテーブル上に載置され、クランパによってクランプされ、回転駆動されて光学情報の読み出し、書き込みが行われるディスクであって、
前記ディスクの他面側表面であって、前記ディスクの中央開口穴中心から異なる半径位置のそれぞれの周方向に複数の第１の導電部が形成され、
前記突出部の周壁の周方向であって異なる半径位置に延出して設けられ、前記ディスクの前記突出部への挿入、装着、回転駆動時に前記ディスクの前記第１の導電部を押圧してそれぞれと電気的に接触する複数の電気的接続部によって、前記複数の第１の導電部と前記複数の電気的接続部のそれぞれの電気的接触を介して前記ディスクの電子回路とディスクドライブ装置側との信号の授受が行われるディスク。
（１８）前記電気的接続部は、通常時には前記突出部に収納されており、前記ディスクの前記突出部への挿入、装着時に露出するように構成されている上記（１３）、（１４）又は（１６）のいずれかのディスク。
（１９）前記電子回路部の前記ディスクへの取り付け及び前記ディスクからの取り外しを可能とする係止部が設けられ、一つの電子回路部を複数枚のディスクで共用可能とする上記（１３）乃至（１８）のいずれかのディスク。
（２０）前記ターンテーブルとの回転方向の位置決めをする位置手段を有する上記（１３）乃至（１８）のいずれかのディスク。
（２１）前記第1の導電部と前記電気的接続部またはクランプピンは、一方が凸状部を有し他方が凹状部を有し、前記ディスクの回転、駆動時には前記第1の導電部と前記電気的接続部の前記凸状部と凹状部とが嵌合する上記（１３）乃至（１８）のいずれかのディスク。
（２２）前記第1の導電部と前記電気的接続部またはクランプピンの少なくとも一方は弾性構造を有する上記（１３）乃至（１８）のいずれかのディスク